(57)【要約】  本発明に係る移動体端末装置（４）は、コンテンツ（２１１）の処理を許可する複数の権利（２１２）に基づき、コンテンツ（２１１）を処理する端末装置であって、複数の権利（２１２）に対する優先順位を決定するための複数の優先順位情報（２１３）のうち、処理するコンテンツの処理条件に対応する優先順位情報（２１３）を選択する優先順位情報選択部（２１０）と、選択された優先順位情報（２１３）を用いて複数の権利（２１２）の優先順位を決定し、決定した優先順位に従い複数の権利（２１２）のうち優先順位の最も高い権利（２１２）を選択する権利選択部（２０４）と、選択された権利（２１２）に基づきコンテンツ（２１１）を処理するコンテンツ再生部（２０５）とを備える。
2008132798.tif 000002
【特許請求の範囲】
【請求項１】
コンテンツの処理を許可する複数の権利に基づき、当該コンテンツを処理する端末装置であって、
前記複数の権利に対する優先順位を決定するための複数の優先順位情報のうち、処理するコンテンツの処理条件に対応する優先順位情報を選択する優先順位情報選択部と、
前記選択された優先順位情報を用いて前記複数の権利の優先順位を決定し、決定した優先順位に従い前記複数の権利のうち優先順位の最も高い権利を選択する権利選択部と、
前記選択された権利に基づき当該コンテンツを処理するコンテンツ処理部とを備える
ことを特徴とする端末装置。
【請求項２】
前記複数の権利は、コンテンツの処理時間を指定する第１権利と、コンテンツの処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記権利選択部は、前記優先順位情報選択部により前記第１優先順位情報が選択された場合、当該第１優先順位情報を用いて前記第１権利が前記第２権利より優先順位が高いと決定し、前記優先順位情報選択部により前記第２優先順位情報が選択された場合、当該第２優先順位情報を用いて前記第２権利が前記第１権利より優先順位が高いと決定する
ことを特徴とする請求項１に記載の端末装置。
【請求項３】
前記優先順位情報選択部は、処理するコンテンツの処理時間が第１処理時間の場合、前記第１優先順位情報を選択し、処理するコンテンツの処理時間が前記第１処理時間より長い第２処理時間の場合、前記第２優先順位情報を選択する
ことを特徴とする請求項２に記載の端末装置。
【請求項４】
前記コンテンツの処理条件は、コンテンツの種別又は処理目的である
ことを特徴とする請求項１に記載の端末装置。
【請求項５】
前記コンテンツの処理条件は、コンテンツの処理目的であり、
前記優先順位情報選択部は、処理するコンテンツの処理目的が着信通知データの場合、前記第１優先順位情報を選択し、処理するコンテンツの処理目的がユーザの操作による再生の場合、前記第２優先順位情報を選択する
ことを特徴とする請求項２に記載の端末装置。
【請求項６】
前記コンテンツの処理条件は、コンテンツの種別であり、
前記優先順位情報選択部は、処理するコンテンツの種別が静止画像の場合、前記第１優先順位情報を選択し、処理するコンテンツの種別が動画像又は音声の場合、前記第２優先順位情報を選択する
ことを特徴とする請求項２に記載の端末装置。
【請求項７】
前記端末装置は、さらに、
前記複数の優先順位情報と、コンテンツの処理条件との対応関係を示す優先順位情報管理情報を生成する優先順位情報管理情報生成部を備え、
前記優先順位情報選択部は、前記優先順位情報管理情報に従い、前記複数の優先順位情報のうち、処理するコンテンツの処理条件に対応する優先順位情報を選択する
ことを特徴とする請求項１に記載の端末装置。
【請求項８】
前記端末装置は、さらに、
ユーザの操作が入力されるユーザ操作入力部を備え、
前記優先順位情報管理情報生成部は、前記ユーザの操作に応じて、前記優先順位情報管理情報を生成する
ことを特徴とする請求項７に記載の端末装置。
【請求項９】
前記複数の権利は、コンテンツの処理時間である第１処理時間を指定する第１権利と、コンテンツの処理回数である第１処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記優先順位情報管理情報生成部は、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成する
ことを特徴とする請求項７に記載の端末装置。
【請求項１０】
前記端末装置は、さらに、
ネットワークを経由して、前記複数の優先順位情報とコンテンツの処理条件との対応関係を示す優先順位情報管理情報を取得する受信部を備え、
前記優先順位情報選択部は、前記優先順位情報管理情報に従い、前記複数の優先順位情報のうち、処理するコンテンツの処理条件に対応する優先順位情報を選択する
ことを特徴とする請求項１に記載の端末装置。
【請求項１１】
前記優先順位情報選択部は、前記コンテンツ再生部によるコンテンツの再生後に、当該コンテンツの再生時間を取得し、当該再生時間が予め定められた設定時間より短い場合、前記第１優先順位情報を選択し、
前記権利選択部は、前記第１優先順位情報を用いて前記第１権利を選択し、
前記端末装置は、さらに、
前記コンテンツ再生部によるコンテンツの再生状況に応じて、前記第１権利を更新する権利更新部を備える
ことを特徴とする請求項２に記載の端末装置。
【請求項１２】
前記優先順位情報選択部は、前記コンテンツ再生部によるコンテンツの再生前に、前記第２優先順位情報を選択し、
前記権利選択部は、前記第２優先順位情報を用いて前記第２権利を選択し、
前記コンテンツ処理部は、前記選択された第２権利に基づき当該コンテンツを処理し、
前記権利更新部は、前記コンテンツ再生部によるコンテンツ再生状況に応じて、前記第２権利を更新し、
前記優先順位情報選択部は、前記コンテンツ再生部によるコンテンツの再生時間が前記設定時間より短い場合、前記コンテンツの再生後に前記第１優先順位情報を再選択し、
前記権利選択部は、前記第１優先順位情報を用いて前記第１権利を再選択し、
前記権利更新部は、前記コンテンツ再生部によるコンテンツ再生状況に応じて、前記第１権利を更新するとともに、前記第２権利を更新前の状態に戻す
ことを特徴とする請求項９に記載の端末装置。
【請求項１３】
コンテンツの処理を許可する複数の権利に基づき、当該コンテンツを処理する端末装置における権利優先順位判定方法であって、
前記複数の権利に対する優先順位を決定するための複数の優先順位情報のうち、処理するコンテンツの処理条件に対応する優先順位情報を選択する優先順位情報選択ステップと、
前記選択された優先順位情報を用いて前記複数の権利の優先順位を決定し、決定した優先順位に従い前記複数の権利のうち優先順位の最も高い権利を選択する権利選択ステップと、
前記選択された権利に基づき当該コンテンツを処理するコンテンツ処理ステップとを含む
ことを特徴とする権利優先順位判定方法。
【請求項１４】
権利優先順位判定プログラムであって、
コンテンツの処理を許可する複数の権利に基づき、当該コンテンツを処理する権利優先順位判定方法のプログラムであって、
前記複数の権利に対する優先順位を決定するための複数の優先順位情報のうち、処理するコンテンツの処理条件に対応する優先順位情報を選択する優先順位情報選択ステップと、
前記選択された優先順位情報を用いて前記複数の権利の優先順位を決定し、決定した優先順位に従い前記複数の権利のうち優先順位の最も高い権利を選択する権利選択ステップと、
前記選択された権利に基づき当該コンテンツを処理するコンテンツ処理ステップとをコンピュータに実行させる
ことを特徴とするプログラム。
【請求項１５】
コンテンツの処理を許可する複数の権利に基づき、当該コンテンツを処理する集積回路であって、
前記複数の権利に対する優先順位を決定するための複数の優先順位情報のうち、処理するコンテンツの処理条件に対応する優先順位情報を選択する優先順位情報選択部と、
前記選択された優先順位情報を用いて前記複数の権利の優先順位を決定し、決定した優先順位に従い前記複数の権利のうち優先順位の最も高い権利を選択する権利選択部と、
前記選択された権利に基づき当該コンテンツを処理するコンテンツ処理部とを備える
ことを特徴とする集積回路。
【発明の詳細な説明】
【技術分野】
【０００１】
本発明は、端末装置、権利優先順位判定方法、プログラム、及び集積回路に関し、特に、コンテンツの処理を予め定められた範囲まで許可する複数の権利に基づき、当該コンテンツを処理する端末装置に関する。
【背景技術】
【０００２】
周知のように、携帯電話等の移動体端末装置として、インターネット等のネットワークに接続して通信できる機能（以下、通信機能という）を備えた装置が普及している。【０００３】
これら通信機能を備えた移動体端末装置は、著作権保護された映像又は音楽等のコンテンツをコンテンツ提供業者からダウンロードし、ダウンロードしたコンテンツを再生できる。【０００４】
通常、著作権保護されたコンテンツの再生には、そのコンテンツに対応した権利を必要とする。権利には、コンテンツを再生する有効期間が指定されており、この有効期間内のみ、コンテンツが再生できる。【０００５】
図１は、著作権保護されたコンテンツのダウンロード及び再生に関するサービスを概念的に示す図である。【０００６】
コンテンツ配信会社１は、提供するコンテンツ２１１と、当該コンテンツ２１１に対応する権利２１２とを保持する。コンテンツ配信会社１は、コンテンツ２１１及び権利２１２を、移動体通信網２を経由し、基地局３から移動体端末装置４に配信する。【０００７】
移動体端末装置４は、移動体端末装置４内の権利２１２で指定された有効期間内にのみ、コンテンツを再生する。【０００８】
上記サービスでは、一つのコンテンツ２１１に対応する権利２１２は一つの場合もあれば、複数の権利が存在する場合もある。例えば、１つのコンテンツ２１１に対応する複数の権利として、ユーザが購入した権利と、ユーザが他者から贈与された権利と、試聴等の無料の権利とが存在する場合がある。【０００９】
一つのコンテンツ２１１に対応する複数の権利２１２が移動体端末装置４内に存在する場合において、著作権保護されたコンテンツ２１１を再生する際、ユーザが最も効率的なコンテンツ２１１を再生できる技術が特許文献１に開示されている。【００１０】
特許文献１に記載の技術は、移動体端末装置４内に複数の権利２１２が存在する場合に、予め定められた優先度に従って、コンテンツ２１１の再生に使用する権利２１２を決定する。【００１１】
これにより、例えば、複数の権利２１２において有効期間と再生回数とが指定される場合、ユーザが最も長い期間、かつ最も多くの回数で当該コンテンツ２１１を再生できる。また、複数の権利２１２において有効期間と再生時間とが指定される場合、ユーザが最も長い期間、当該コンテンツ２１１を再生できる。さらに、複数の権利２１２において再生期間と再生回数とが指定される場合、ユーザが最も長い期間、かつ最も多くの回数で当該コンテンツ２１１を再生できる。
【特許文献１】特開２００４−３４８３８４号公報
【発明の開示】
【発明が解決しようとする課題】
【００１２】
しかしながら、特許文献１に記載の技術では、優先順位の判定手順が固定であるため、コンテンツ２１１の種類、再生目的、又は再生状況によっては最適な判定が行われない場合がある。【００１３】
例えば、配信された音楽コンテンツをそのまま再生する場合と、当該音楽コンテンツをメール又は電話の着信通知データとして使用する場合には、再生時間が大きく異なる。また、音楽コンテンツを再生しているときに、電話又は急用等によってユーザが再生を中止する場合がある。【００１４】
このような場合に、優先順位情報における優先度を一定、例えば、権利の残再生回数を残再生時間に対して常に優先させるようにしたのでは、ユーザは最も長い期間、かつ最も多くの回数で当該音楽コンテンツを再生できないおそれがある。【００１５】
そこで本発明は、複数の権利のうち最適な権利を使用できる端末装置、権利優先順位判定方法、プログラム、及び集積回路を提供することを目的とする。
【課題を解決するための手段】
【００１６】
上記目的を達成するために、本発明に係る端末装置は、コンテンツの処理を許可する複数の権利に基づき、当該コンテンツを処理する端末装置であって、前記複数の権利に対する優先順位を決定するための複数の優先順位情報のうち、処理するコンテンツの処理条件に対応する優先順位情報を選択する優先順位情報選択部と、前記選択された優先順位情報を用いて前記複数の権利の優先順位を決定し、決定した優先順位に従い前記複数の権利のうち優先順位の最も高い権利を選択する権利選択部と、前記選択された権利に基づき当該コンテンツを処理するコンテンツ処理部とを備える。【００１７】
この構成によれば、本発明に係る端末装置は、コンテンツ処理時に、複数の優先順位情報から当該コンテンツの処理条件に対応した優先順位情報を選択し、選択した優先順位情報に従って、複数の権利からコンテンツ処理に使用する権利を選択する。つまり、本発明に係る端末装置は、固定された優先順位に従い権利を選択する従来の技術と異なり、コンテンツの処理条件に応じて、異なる優先順位に従い権利を選択する。【００１８】
これにより、本発明に係る端末装置は、ユーザにとって最も有利になる権利に基づいてコンテンツを処理できる。つまり、本発明に係る端末装置は、複数の権利のうち最適な権利を使用してコンテンツを処理できる。【００１９】
なお、ここで、コンテンツの処理とは、映像及び音声コンテンツの再生、静止画像の表示、及びアプリケーションプログラムの実行等である。【００２０】
また、前記複数の権利は、コンテンツの処理時間を指定する第１権利と、コンテンツの処理回数を指定する第２権利とを含み、前記複数の優先順位情報は、前記処理時間が前記処理回数より優先順位が高いことを示す第１優先順位情報と、前記処理回数が前記処理時間より優先順位が高いことを示す第２優先順位情報とを含み、前記権利選択部は、前記優先順位情報選択部により前記第１優先順位情報が選択された場合、当該第１優先順位情報を用いて前記第１権利が前記第２権利より優先順位が高いと決定し、前記優先順位情報選択部により前記第２優先順位情報が選択された場合、当該第２優先順位情報を用いて前記第２権利が前記第１権利より優先順位が高いと決定してもよい。【００２１】
この構成によれば、本発明に係る端末装置は、コンテンツの処理条件に応じて、処理時間を優先するか、処理回数を優先するかを選択できる。【００２２】
また、前記優先順位情報選択部は、処理するコンテンツの処理時間が第１処理時間の場合、前記第１優先順位情報を選択し、処理するコンテンツの処理時間が前記第１処理時間より長い第２処理時間の場合、前記第２優先順位情報を選択してもよい。【００２３】
この構成によれば、本発明に係る端末装置は、コンテンツの処理時間が長い場合には、処理回数を指定する権利を優先し、コンテンツの処理時間が短い場合には、処理時間を指定する権利を優先する。これにより、ユーザは、最も長い期間、かつ最も多くの回数でコンテンツを処理できる。【００２４】
また、前記コンテンツの処理条件は、コンテンツの種別又は処理目的であってもよい。【００２５】
この構成によれば、本発明に係る端末装置は、音楽データ、動画像データ及び静止画データ等のコンテンツの種別、又は、そのまま再生するかメール又は電話の着信通知データとして使用するかといったコンテンツの処理目的に応じて、権利の優先度を選択できる。【００２６】
また、前記コンテンツの処理条件は、コンテンツの処理目的であり、前記優先順位情報選択部は、処理するコンテンツの処理目的が着信通知データの場合、前記第１優先順位情報を選択し、処理するコンテンツの処理目的がユーザの操作による再生の場合、前記第２優先順位情報を選択してもよい。【００２７】
この構成によれば、本発明に係る端末装置は、処理時間が短い着信通知データとしてコンテンツを再生する場合には、処理時間を有する権利を優先して選択し、処理時間が長い、ユーザによるコンテンツの再生の場合には、処理回数を有する権利を優先して選択する。これにより、本発明に係る端末装置は、複数の権利のうち最適な権利を使用してコンテンツを処理できる。【００２８】
また、前記コンテンツの処理条件は、コンテンツの種別であり、前記優先順位情報選択部は、処理するコンテンツの種別が静止画像の場合、前記第１優先順位情報を選択し、処理するコンテンツの種別が動画像又は音声の場合、前記第２優先順位情報を選択してもよい。【００２９】
この構成によれば、本発明に係る端末装置は、処理時間が短い静止画像の再生の場合には、処理時間を有する権利を優先して選択し、処理時間が長い動画像又は音声の再生の場合には、処理回数を有する権利を優先して選択する。これにより、本発明に係る端末装置は、複数の権利のうち最適な権利を使用してコンテンツを処理できる。【００３０】
また、前記端末装置は、さらに、前記複数の優先順位情報と、コンテンツの処理条件との対応関係を示す優先順位情報管理情報を生成する優先順位情報管理情報生成部を備え、前記優先順位情報選択部は、前記優先順位情報管理情報に従い、前記複数の優先順位情報のうち、処理するコンテンツの処理条件に対応する優先順位情報を選択してもよい。【００３１】
この構成によれば、本発明に係る端末装置において、コンテンツの処理条件と、複数の優先順位情報との対応関係を設定できる。【００３２】
また、前記端末装置は、さらに、ユーザの操作が入力されるユーザ操作入力部を備え、前記優先順位情報管理情報生成部は、前記ユーザの操作に応じて、前記優先順位情報管理情報を生成してもよい。【００３３】
この構成によれば、ユーザは、コンテンツの処理条件と、複数の優先順位情報との対応関係を任意に設定できる。【００３４】
また、前記複数の権利は、コンテンツの処理時間である第１処理時間を指定する第１権利と、コンテンツの処理回数である第１処理回数を指定する第２権利とを含み、前記複数の優先順位情報は、前記処理時間が前記処理回数より優先順位が高いことを示す第１優先順位情報と、前記処理回数が前記処理時間より優先順位が高いことを示す第２優先順位情報とを含み、前記優先順位情報管理情報生成部は、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成してもよい。【００３５】
この構成によれば、本発明に係る端末装置は、コンテンツの処理目的そのものによって優先順位情報の選択を行うのではなく、コンテンツの処理時間に応じた優先順位情報を選択できる。これにより、本発明に係る端末装置は、より最適な権利を用いてコンテンツを処理できる。【００３６】
さらに、本発明に係る端末装置は、新たに取得した権利、又は権利の使用状況に応じて、動的に優先順位情報管理情報を生成又は更新できる。これにより、本発明に係る端末装置は、常に最適な権利を使用できる。【００３７】
また、前記端末装置は、さらに、ネットワークを経由して、前記複数の優先順位情報とコンテンツの処理条件との対応関係を示す優先順位情報管理情報を取得する受信部を備え、前記優先順位情報選択部は、前記優先順位情報管理情報に従い、前記複数の優先順位情報のうち、処理するコンテンツの処理条件に対応する優先順位情報を選択してもよい。【００３８】
この構成によれば、コンテンツ配信会社は、コンテンツを処理する端末装置に対して、コンテンツの処理条件と、複数の優先順位情報との対応関係を指定できる。【００３９】
また、前記優先順位情報選択部は、前記コンテンツ再生部によるコンテンツの再生後に、当該コンテンツの再生時間を取得し、当該再生時間が予め定められた設定時間より短い場合、前記第１優先順位情報を選択し、前記権利選択部は、前記第１優先順位情報を用いて前記第１権利を選択し、前記端末装置は、さらに、前記コンテンツ再生部によるコンテンツの再生状況に応じて、前記第１権利を更新する権利更新部を備えてもよい。【００４０】
この構成によれば、コンテンツの処理時間が予定よりも短くなった場合、例えば、音楽コンテンツを再生しているときに、電話又は急用等によってユーザが再生を中止する場合には、本発明に係る端末装置は、処理回数よりも処理時間を優先させる第１優先順位情報を、コンテンツ再生後に選択する。これにより、本発明に係る端末装置は、ユーザにとって最も有利になる状態でコンテンツを処理できる。【００４１】
また、前記優先順位情報選択部は、前記コンテンツ再生部によるコンテンツの再生前に、前記第２優先順位情報を選択し、前記権利選択部は、前記第２優先順位情報を用いて前記第２権利を選択し、前記コンテンツ処理部は、前記選択された第２権利に基づき当該コンテンツを処理し、前記権利更新部は、前記コンテンツ再生部によるコンテンツ再生状況に応じて、前記第２権利を更新し、前記優先順位情報選択部は、前記コンテンツ再生部によるコンテンツの再生時間が前記設定時間より短い場合、前記コンテンツの再生後に前記第１優先順位情報を再選択し、前記権利選択部は、前記第１優先順位情報を用いて前記第１権利を再選択し、前記権利更新部は、前記コンテンツ再生部によるコンテンツ再生状況に応じて、前記第１権利を更新するとともに、前記第２権利を更新前の状態に戻してもよい。【００４２】
この構成によれば、権利管理部は、再度決定された権利の更新を行うとともに、コンテンツの処理前に決定された権利を決定前の状態に戻す処理を行う。よって、コンテンツの処理後に、使用される権利が変わっても特に問題が生じない。【００４３】
また、本発明に係る権利優先順位判定方法は、コンテンツの処理を許可する複数の権利に基づき、当該コンテンツを処理する端末装置における権利優先順位判定方法であって、前記複数の権利に対する優先順位を決定するための複数の優先順位情報のうち、処理するコンテンツの処理条件に対応する優先順位情報を選択する優先順位情報選択ステップと、前記選択された優先順位情報を用いて前記複数の権利の優先順位を決定し、決定した優先順位に従い前記複数の権利のうち優先順位の最も高い権利を選択する権利選択ステップと、前記選択された権利に基づき当該コンテンツを処理するコンテンツ処理ステップとを含む。【００４４】
これによれば、本発明に係る権利優先順位判定方法は、コンテンツ処理時に、複数の優先順位情報から当該コンテンツの処理条件に対応した優先順位情報を選択し、選択した優先順位情報に従って、複数の権利からコンテンツ処理に使用する権利を選択する。つまり、本発明に係る権利優先順位判定方法は、固定された優先順位に従い権利を選択する従来の技術と異なり、コンテンツの処理条件に応じて、異なる優先順位に従い権利を選択する。【００４５】
これにより、本発明に係る権利優先順位判定方法は、ユーザにとって最も有利になる権利に基づいてコンテンツを処理できる。つまり、本発明に係る権利優先順位判定方法は、複数の権利のうち最適な権利を使用してコンテンツを処理できる。【００４６】
なお、本発明は、このような端末装置として実現できるだけでなく、端末装置に含まれる特徴的な手段をステップとする権利優先順位判定方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。さらに、本発明は、端末装置の機能の一部又は全てを実現する集積回路として実現できる。
【発明の効果】
【００４７】
以上より、本発明は、複数の権利のうち最適な権利を使用できる端末装置、権利優先順位判定方法、プログラム、及び集積回路を提供できる。
【図面の簡単な説明】
【００４８】
【図１】図１は、本発明の実施の形態１に係る移動体端末装置を用いたコンテンツ配信サービスの概略構成を示す図である。
【図２】図２は、本発明の実施の形態１に係る移動体端末装置の構成を示す図である。
【図３】図３は、本発明の実施の形態１に係る権利情報のデータ構造を示す図である。
【図４Ａ】図４Ａは、本発明の実施の形態１に係る権利の構成例を示す図である。
【図４Ｂ】図４Ｂは、本発明の実施の形態１に係る権利の構成例を示す図である。
【図５Ａ】図５Ａは、本発明の実施の形態１に係る移動体端末装置における、権利の優先度を概念的に示す図である。
【図５Ｂ】図５Ｂは、本発明の実施の形態１に係る第１優先順位情報の構成例を示す図である。
【図５Ｃ】図５Ｃは、本発明の実施の形態１に係る第２優先順位情報の構成例を示す図である。
【図６Ａ】図６Ａは、本発明の実施の形態１に係る優先順位情報管理情報の構成を示す図である。
【図６Ｂ】図６Ｂは、本発明の実施の形態１に係る優先順位情報管理情報の変形例の構成を示す図である。
【図６Ｃ】図６Ｃは、本発明の実施の形態１に係る優先順位情報管理情報の変形例の構成を示す図である。
【図７】図７は、本発明の実施の形態１に係る移動体端末装置によるコンテンツ再生動作の流れを示すフローチャートである。
【図８】図８は、本発明の実施の形態１に係る移動体端末装置によるコンテンツ再生動作の変形例の流れを示すフローチャートである。
【図９】図９は、本発明の実施の形態２に係る移動体端末装置を用いたコンテンツ配信サービスの概略構成を示す図である。
【図１０】図１０は、本発明の実施の形態２に係る移動体端末装置の構成を示す図である。
【図１１】図１１は、本発明の実施の形態２に係る移動体端末装置による優先順位情報生成動作の流れを示すフローチャートである。
【図１２】図１２は、本発明の実施の形態３に係る移動体端末装置の構成を示す図である。
【図１３】図１３は、本発明の実施の形態３に係る移動体端末装置におけるユーザ操作画面の一例を示す図である。
【図１４】図１４は、本発明の実施の形態３に係る移動体端末装置による優先順位情報管理情報の変更動作の流れを示すフローチャートである。
【図１５】図１５は、本発明に係る集積回路の構成を示す図である。
【符号の説明】
【００４９】
１  コンテンツ配信会社
２  移動体通信網
３  基地局
４  移動体端末装置
２０１  記憶部
２０２  記憶制御部
２０３  権利管理部
２０４  権利選択部
２０５  コンテンツ再生部
２０６  再生情報取得部
２０７  現在時刻計測部
２０８  送受信部
２０９  データ解析部
２１０  優先順位情報選択部
２１１  コンテンツ
２１２、２１２ａ、２１２ｂ  権利
２１３  優先順位情報
２１３ａ  第１優先順位情報
２１３ｂ  第２優先順位情報
２１４、２１４ａ、２１４ｂ  優先順位情報管理情報
２１５、２１７  優先順位情報管理情報生成部
２１６  ユーザ操作入力部
３００  権利情報
３０１  再生可能／不可能フラグ
３０２  有効期間
３０２ａ  開始時間
３０２ｂ  終了時間
３０３  再生回数
３０３ａ  再生回数
３０３ｂ  設定回数
３０４  再生時間
３０４ａ  再生時間
３０４ｂ  設定時間
３０５  時間指定再生回数
３０５ａ  指定時間
３０５ｂ  再生回数
３０５ｃ  設定回数
４０１  残有効期間
４０２  残再生回数
４０３  残再生時間
１１００  ＬＳＩ
【発明を実施するための最良の形態】
【００５０】
（実施の形態１）
本発明の実施の形態１に係る端末装置について図１〜図８を参照して説明する。【００５１】
本発明の実施の形態１に係る端末装置は、複数の権利のうちコンテンツの再生に用いる権利を決定するための優先順位を示す複数の優先順位情報を記憶し、コンテンツの再生条件に応じて優先順位情報を選択する。これにより、本発明の実施の形態１に係る端末装置は、複数の権利のうち最適な権利を使用できる。【００５２】
まず、本発明の実施の形態１に係る端末装置の構成を説明する。【００５３】
著作権保護されたコンテンツ２１１のダウンロード及び再生に関するサービスイメージは、図１と同様である。【００５４】
コンテンツ配信会社１は、提供するコンテンツ２１１と、当該コンテンツ２１１に対応する権利２１２とを保持する。コンテンツ配信会社１は、コンテンツ２１１及び権利２１２を、インターネット等の移動体通信網２を経由し、基地局３から移動体端末装置４に配信する。【００５５】
移動体端末装置４は、本発明に係る権利優先順位判定可能な端末装置であり、コンテンツ２１１の再生を許可する複数の権利２１２に基づき、当該コンテンツ２１１を再生する。つまり、移動体端末装置４は、コンテンツ２１１の再生時には、移動体端末装置４内に記憶された権利２１２で指定された有効期間、再生回数、及び再生時間等の条件を満たす場合にのみ、コンテンツ２１１を再生する。【００５６】
移動体端末装置４は、例えば、携帯電話である。なお、移動体端末装置４は、携帯情報端末（ＰＤＡ）、及びノート型パーソナルコンピュータ等であってもよい。【００５７】
図２は、本発明の実施の形態１に係る権利優先順位判定可能な移動体端末装置４の構成概要を示すブロック図である。【００５８】
図２に示す移動体端末装置４は、記憶部２０１と、記憶制御部２０２と、権利管理部２０３と、権利選択部２０４と、コンテンツ再生部２０５と、再生情報取得部２０６と、現在時刻計測部２０７と、送受信部２０８と、データ解析部２０９と、優先順位情報選択部２１０とを備える。【００５９】
記憶部２０１は、コンテンツ２１１と、複数の権利２１２と、複数の優先順位情報２１３と、優先順位情報管理情報２１４とを記憶する。記憶部２０１は、例えば、ハード・ディスク・ドライブ（ＨＤＤ）、又は不揮発性メモリ等である。なお、記憶部２０１は、移動体端末装置４に着脱可能な記録媒体（メモリカード等）であってもよい。【００６０】
コンテンツ２１１は、コンテンツ配信会社１により配信されたコンテンツである。複数の権利２１２は、コンテンツ２１１の再生を予め定められた範囲まで許可する権利である。【００６１】
複数の優先順位情報２１３は、それぞれ複数の権利２１２に対する優先順位を決定するための手順を示す情報である。【００６２】
優先順位情報管理情報２１４は、複数の優先順位情報２１３と、コンテンツ２１１の再生条件との対応関係を示す情報である。【００６３】
記憶制御部２０２は、記憶部２０１に対するデータの書き込み、更新及び読み出しを行う。【００６４】
権利管理部２０３は、権利２１２の管理を行う。具体的には、権利管理部２０３は、配信された権利２１２とコンテンツ２１１との関連付けを行ったのち、記憶制御部２０２を介して、記憶部２０１に記憶する。【００６５】
また、権利管理部２０３は、コンテンツ２１１の再生の際に、当該コンテンツ２１１に対応する複数の権利２１２に基づき、当該コンテンツ２１１の再生の可／不可を判定する。権利管理部２０３は、判定結果を示す権利情報を生成し、生成した権利情報を権利選択部２０４に通知する。【００６６】
また、権利管理部２０３は、コンテンツ２１１の再生にともない、コンテンツ２１１の再生状況に応じて権利２１２を更新し、更新した権利２１２を、記憶制御部２０２を介して、記憶部２０１に記憶する。【００６７】
優先順位情報選択部２１０は、優先順位情報管理情報２１４に従い、複数の優先順位情報２１３のうち、再生するコンテンツ２１１の再生条件に対応する優先順位情報２１３を選択する。優先順位情報選択部２１０は、選択した優先順位情報２１３である選択優先順位情報を権利選択部２０４へ通知する。【００６８】
権利選択部２０４は、優先順位情報選択部２１０から通知された選択優先順位情報を用いて、権利管理部２０３から通知された複数の権利情報の優先順位を決定する。権利選択部２０４は、決定した優先順位に従い、複数の権利情報のうち優先順位の最も高い権利情報を選択する。権利選択部２０４は、選択した権利情報を選択権利情報として権利管理部２０３に通知する。【００６９】
コンテンツ再生部２０５は、権利選択部２０４により選択された権利情報に基づきコンテンツ２１１を再生する。【００７０】
再生情報取得部２０６は、コンテンツ再生部２０５によりコンテンツ２１１が再生された回数を示す再生回数情報を、コンテンツ再生部２０５から取得する。【００７１】
現在時刻計測部２０７は、現在の時刻を計測する。【００７２】
送受信部２０８は、移動体通信網２を介してコンテンツ配信会社１により配信されたコンテンツ２１１及び権利２１２を受信する。【００７３】
データ解析部２０９は、送受信部２０８により受信されたデータを解析することで、当該データがコンテンツ２１１であるか、権利２１２であるかを判定する。データ解析部２０９は、送受信部２０８により受信されたデータがコンテンツ２１１である場合、当該コンテンツを、記憶制御部２０２を経由して、記憶部２０１に記憶する。また、データ解析部２０９は、送受信部２０８により受信されたデータが権利２１２である場合、当該権利２１２を権利管理部２０３に出力する。【００７４】
次に、権利２１２及び権利情報の構成を説明する。【００７５】
図３は、権利管理部２０３によって生成される権利情報３００のデータ構造を概念的に示す図である。権利情報３００は、再生可能／不可能フラグ３０１と、有効期間３０２と、再生回数３０３と、再生時間３０４と、時間指定再生回数３０５とを含む。なお、権利２１２の構成も、権利情報３００と同様である。【００７６】
再生可能／不可能フラグ３０１は、権利２１２を用いてコンテンツ２１１を生成可能であるか否かを示す情報である。この例では、再生可能／不可能フラグ３０１は、再生可能であることを示す。【００７７】
有効期間３０２は、権利２１２を用いたコンテンツ２１１の再生を許可する期間を指定する情報である。【００７８】
有効期間３０２は、権利２１２の有効期間の開始時間である開始時間３０２ａと、権利２１２の有効期間の終了時間である終了時間３０２ｂとを含む。この例では、有効期間３０２は、権利の有効期間が、２００７年２月１日００時００分００秒から２００７年２月１０日２３時５９分５９秒の間であることを示す。【００７９】
再生回数３０３は、コンテンツ２１１の再生を許可する回数を指定する、つまり当該権利２１２を用いて残り何回コンテンツ２１１を再生できるかを示す情報である。【００８０】
再生回数３０３は、再生回数３０３ａと、設定回数３０３ｂとを含む。再生回数３０３ａは、権利判定時までに、既に当該権利２１２を用いてコンテンツ２１１を再生した回数である。設定回数３０３ｂは、権利取得時に定められたコンテンツ２１１を再生できる回数である。この例では、設定回数３０３ｂは５回であり、再生回数３０３ａは３回である。つまり、この例では、再生回数３０３は、当該権利２１２を用いて残り２回コンテンツ２１１の再生を許可することを示す。【００８１】
再生時間３０４は、コンテンツ２１１の再生を許可する時間を指定する、つまり当該権利２１２を用いて残り何秒コンテンツ２１１を再生できるかを示す情報である。【００８２】
再生時間３０４は、再生時間３０４ａと、設定時間３０４ｂとを含む。再生時間３０４ａは、権利判定時までに、既に当該権利２１２を用いてコンテンツ２１１を再生した時間である。設定時間３０４ｂは、権利取得時に定められたコンテンツ２１１を再生できる時間である。この例では、設定時間３０４ｂは３分であり、再生時間は５秒である。つまり、この例では、再生時間３０４は、当該権利２１２を用いて残り２分５５秒コンテンツ２１１の再生を許可することを示す。【００８３】
時間指定再生回数３０５は、指定された時間以上のコンテンツ２１１の再生を許可する回数を指定する情報である。【００８４】
時間指定再生回数３０５は、指定時間３０５ａと、再生回数３０５ｂと、設定回数３０５ｃとを含む。指定時間３０５ａは、再生と判断するまでの再生時間である。再生回数３０５ｂは、権利判定時までに、既に当該権利２１２を用いてコンテンツ２１１を再生した回数である。設定回数３０３ｂは、権利取得時に定められたコンテンツ２１１を再生できる回数である。この例では、指定時間３０５ａは３０秒であり、設定回数３０５ｃは５回であり、再生回数３０５ｂは３回である。例えば、５秒でコンテンツ２１１の再生を終了した場合、再生回数３０５ｂは増加しない。これにより、ユーザの誤操作等によりコンテンツ２１１を誤って再生した場合には、権利は消費されない。【００８５】
なお、図３において、権利情報３００は、再生可能／不可能フラグ３０１と、有効期間３０２と、再生回数３０３と、再生時間３０４と、時間指定再生回数３０５とを含んでいるが、権利情報３００は、有効期間３０２、再生回数３０３、再生時間３０４、及び時間指定再生回数３０５のうちいずれか１以上と、再生可能／不可能フラグ３０１とを含めばよい。【００８６】
図４Ａ及び図４Ｂは、権利２１２（権利情報３００）の具体例を示す図である。また、以下、２月１日を２／１のように、月／日の形式で記す。【００８７】
図４Ａに示す権利２１２ａは、有効期間３０２と再生回数３０３とを指定する権利で、２／１〜２／１０の期間中に５回までコンテンツ２１１の再生を許可する権利である。図４Ｂに示す権利２１２ｂは、有効期間３０２と再生時間３０４とを指定する権利で、２／１〜２／１０の期間中に３分間までコンテンツ２１１の再生を許可する権利である。【００８８】
次に、優先順位情報２１３について説明する。【００８９】
図５Ａは、個別の制限情報（有効期間３０２、再生回数３０３、再生時間３０４）毎に権利の優先順位を示す図である。複数の権利２１２に複数の制限情報が含まれる場合、図５Ａで示した優先順位を組み合わせて優先順位が決定される。つまり、図５Ａに示す優先順位を組み合わせることで、コンテンツ２１１の再生目的などの各種条件に応じた複数の優先順位情報２１３が決定される。【００９０】
この例では、残りの有効期間である残有効期間４０１と、残りの再生回数である残再生回数４０２と、残りの再生時間である残再生時間４０３との３つを、２つの権利２１２を比較する場合の判定要素とする。【００９１】
残有効期間４０１については、２つの権利２１２を比較した場合、残りの有効期間の長い方の優先度を高くするように優先順位が決定される。残再生回数４０２については、２つの権利を比較した場合、残りの再生回数の多い方の優先度を高くするように優先順位が決定される。残再生時間４０３については、２つの権利を比較した場合、残りの再生時間の長い方の優先度を高くするように優先順位が決定される。【００９２】
なお、判定要素として他に時間指定再生時間又は時間指定再生回数３０５等の他の要素を加えてもよい。ここで、時間指定再生時間とは、指定された時間以上のコンテンツ２１１の再生を許可する時間を指定する情報である。【００９３】
また、図５Ａに示す優先度の関係は、一例であり、ユーザ又はコンテンツ配信会社１の要望に応じて、適宜変更してよい。【００９４】
次に、記憶部２０１に記憶される複数の優先順位情報２１３に含まれる第１優先順位情報２１３ａ及び第２優先順位情報２１３ｂの構成を説明する。【００９５】
図５Ｂは、図５Ａで示す優先順位を組み合わせて決定された第１優先順位情報２１３ａの構成を示す図である。第１優先順位情報２１３ａは、残再生回数４０２、残再生時間４０３、残有効期間４０１の順で優先度が高くなるように設定されている。【００９６】
第１優先順位情報２１３ａは、２つの権利を比較した場合、残有効期間４０１の長い方の権利を第１位の優先順位とし、短い方の権利を第２位の優先順位とする。また、第１優先順位情報２１３ａは、残有効期間４０１が同じ、又は共に無い場合には、残再生時間４０３の長い方の権利を第３位の優先順位とし、短い方の権利を第４位の優先順位とする。さらに第１優先順位情報２１３ａは、残再生時間４０３が同じ、又は共に無い場合には、残再生回数４０２の多い方の権利を第５位の優先順位とし、少ない方の権利を第６位の優先順位とし、残再生回数４０２が同じ場合には第７位の優先順位とする。【００９７】
例えば、図４Ａ及び図４Ｂに示す権利２１２ａ及び２１２ｂを比較した場合、権利２１２ａ及び２１２ｂに同じ有効期間３０２が指定されている。さらに、権利２１２ａに再生時間３０４が指定されておらず、かつ権利２１２ｂに再生時間３０４が指定されている。よって、権利２１２ｂの優先順位は第３位又は第４位となり、権利２１２ａの優先順位は第５位以下となる。つまり、権利２１２ｂの優先順位は、権利２１２ａの優先順位より高くなる。【００９８】
図５Ｃは、図５Ａで示す優先順位を組み合わせて決定された第２優先順位情報２１３ｂの構成を示す図である。第２優先順位情報２１３ｂは、残再生時間４０３、残再生回数４０２、残有効期間４０１の順で優先度が高くなるように設定されている。【００９９】
第２優先順位情報２１３ｂは、２つの権利を比較した場合、残有効期間４０１の長い方の権利を第１位の優先順位とし、短い方の権利を第２位の優先順位とする。また、第２優先順位情報２１３ｂは、残有効期間４０１が同じ、又は共に無い場合には、残再生回数４０２の多い方の権利を第３位の優先順位とし、少ない方の権利を第４位の優先順位とする。さらに第２優先順位情報２１３ｂは、残再生回数４０２が同じ、又は共に無い場合には、残再生時間４０３の長い方の権利を第５位の優先順位とし、短い方の権利を第６位の優先順位とし、残再生時間４０３が同じ場合には第７位の優先順位とする。【０１００】
例えば、図４Ａ及び図４Ｂに示す権利２１２ａ及び２１２ｂを比較した場合、権利２１２ａ及び２１２ｂに同じ有効期間３０２が指定されている。さらに、権利２１２ａに再生回数３０３が指定されており、かつ権利２１２ｂに再生回数３０３が指定されていない。よって、権利２１２ａの優先順位は第３位又は第４位となり、権利２１２ｂの優先順位は第５位以下となる。つまり、権利２１２ａの優先順位は、権利２１２ｂの優先順位より高くなる。【０１０１】
このように、優先順位情報２１３は、２つの権利２１２に含まれる制限情報の種別に応じて、権利２１２の優先度を指定する。さらに、優先順位情報２１３は、２つの権利２１２に同じ種別の制限情報が含まれている場合には、当該制限情報の値に応じた優先順位を指定する。【０１０２】
次に、優先順位情報管理情報２１４の構成を説明する。【０１０３】
図６Ａは、優先順位情報管理情報２１４の構成を示す図である。【０１０４】
図６Ａに示す優先順位情報管理情報２１４は、４つの再生目的と、４つの再生目的のそれぞれに対応する優先順位情報２１３との組み合わせを示す。【０１０５】
優先順位情報管理情報２１４において、比較的再生時間が長い再生目的「ユーザ再生」に、残再生回数４０２を優先する第２優先順位情報２１３ｂが対応付けられ、「ユーザ再生」に比べ再生時間が短い再生目的「着信通知データ」、「試聴」及び「ウェイクアップ画像」に、残再生時間４０３を優先する第１優先順位情報２１３ａが対応付けられる。【０１０６】
また、優先順位情報管理情報２１４の条件として、コンテンツ２１１の種別を条件としてもよい。【０１０７】
図６Ｂは、コンテンツ２１１の種別を条件とした優先順位情報管理情報２１４ａの構成を示す図である。【０１０８】
図６Ｂに示す優先順位情報管理情報２１４ａは、３つのコンテンツ種別と、３つのコンテンツ種別のそれぞれに対応する優先順位情報２１３との組み合わせを示す。【０１０９】
優先順位情報管理情報２１４ａにおいて、比較的再生時間が短いコンテンツ種別「画像」に、残再生時間４０３を優先する第１優先順位情報２１３ａが対応付けられ、コンテンツ種別「画像」に比べ再生時間が長いコンテンツ種別「音楽」及び「映像」に、残再生回数４０２を優先する第２優先順位情報２１３ｂが対応付けられる。ここで、画像とは静止画であり、映像とは動画像である。【０１１０】
また、優先順位情報管理情報２１４の条件としてコンテンツ２１１の再生目的に加えコンテンツ２１１の再生時間を条件としてもよい。【０１１１】
図６Ｃは、コンテンツ２１１の再生目的に加えコンテンツの再生時間を条件とした優先順位情報管理情報２１４ｂの構成を示す図である。【０１１２】
図６Ｃに示す優先順位情報管理情報２１４ｂは、２つの再生目的に加え、再生目的が「ユーザ再生」の場合、さらに、再生時間に応じて、異なる優先順位情報２１３を指定する。【０１１３】
優先順位情報管理情報２１４ｂにおいて、比較的再生時間が短い再生目的「着信通知データ」に、残再生時間４０３を優先する第１優先順位情報２１３ａが対応付けられる。【０１１４】
また、優先順位情報管理情報２１４ｂにおいて、比較的再生時間が長い再生目的「ユーザ再生」において、さらに、再生時間が予め設定された設定時間より長いか否かにより、指定される優先順位情報２１３が異なる。具体的には、再生時間が設定時間より短い場合には、残再生時間４０３を優先する第１優先順位情報２１３ａが指定され、再生時間が設定時間より長い場合には、残再生回数４０２を優先する第２優先順位情報２１３ｂが指定される。【０１１５】
次に、本発明の実施の形態１に係る移動体端末装置４の動作を説明する。【０１１６】
以下、移動体端末装置４が、コンテンツ配信会社１からコンテンツ２１１及び複数の権利２１２をダウンロードする動作を説明する。【０１１７】
まず、送受信部２０８は、移動体通信網２を介してコンテンツ２１１及び複数の権利２１２を受信する。【０１１８】
データ解析部２０９は、送受信部２０８で受信されたコンテンツ２１１及び権利２１２の内容を解析し、受信したデータからコンテンツ２１１と権利２１２とを分離する。データ解析部２０９は、分離したコンテンツ２１１を、記憶制御部２０２を経由して記憶部２０１に記憶する。また、データ解析部２０９は、分離した権利２１２を、権利管理部２０３に出力する。【０１１９】
権利管理部２０３は、データ解析部２０９により出力された権利２１２とコンテンツ２１１との関連付けを行い、関連付けを行った権利２１２を、記憶制御部２０２を経由して記憶部２０１に記憶する。【０１２０】
以上のように、移動体端末装置４は、コンテンツ配信会社１からのコンテンツ２１１及び複数の権利２１２をダウンロードし、記憶部２０１に記憶する。【０１２１】
次に、移動体端末装置４によるコンテンツ２１１の再生動作を説明する。【０１２２】
図７は、移動体端末装置４によるコンテンツ２１１の再生動作の流れを示すフローチャートである。【０１２３】
ここでは、記憶部２０１に記憶される複数の権利２１２は、図４Ａ及び図４Ｂに示す権利２１２ａ及び権利２１２ｂであり、２月９日に移動体端末装置４がコンテンツ２１１を再生する場合を例に説明する。【０１２４】
また、２つの権利２１２ａ及び２１２ｂと関連付けられたコンテンツ２１１は、全て再生した場合の再生時間が１分の音楽コンテンツであるとする。【０１２５】
まず、記憶制御部２０２は、再生するコンテンツ２１１に対応する複数の権利２１２（権利２１２ａ及び２１２ｂ）を記憶部２０１から読み出し、読み出した権利２１２ａ及び２１２ｂを権利管理部２０３に出力する。【０１２６】
権利管理部２０３は、権利２１２ａ及び２１２ｂのそれぞれに示されるコンテンツ２１１の再生の可／不可を判定し、判定結果を示す複数の権利情報を生成する。具体的には、権利管理部２０３は、権利２１２ａ及び２１２ｂに含まれる再生可能／不可能フラグ３０１と、現在の日時及び有効期間３０２とに基づき、権利２１２ａ及び２１２ｂを用いたコンテンツ２１１の再生の可／不可を判定する。また、権利管理部２０３は、不可と判定した権利２１２ａ及び２１２ｂに対応する再生可能／不可能フラグ３０１を再生不可に変更する。【０１２７】
なお、再生可能／不可能フラグ３０１は、記憶部２０１に記憶される権利２１２に含まれなくともよい。この場合、権利管理部２０３は、権利２１２を読み出した際に、現在の日時と、有効期間３０２と、再生回数３０３と、再生時間３０４と、時間指定再生回数３０５とに基づき、再生可能／不可能フラグ３０１を生成すればよい。【０１２８】
権利管理部２０３は、生成した複数の権利情報を、権利選択部２０４に通知する。【０１２９】
優先順位情報選択部２１０は、記憶制御部２０２を経由して、記憶部２０１から取得した優先順位情報管理情報２１４に従い、再生するコンテンツ２１１の再生条件に対応する優先順位情報２１３を選択する（Ｓ１０１）。【０１３０】
具体的には、図６Ａに示す優先順位情報管理情報２１４を用いる場合、優先順位情報選択部２１０は、コンテンツ２１１の再生目的に関する情報を取得する。優先順位情報選択部２１０は、優先順位情報管理情報２１４に従い、コンテンツ２１１の再生目的が、ユーザによる再生（ユーザ再生）の場合には、記憶部２０１に記憶された複数の優先順位情報２１３から残再生回数４０２を優先させる第２優先順位情報２１３ｂを選択する。【０１３１】
また、コンテンツ２１１の再生目的が、着信通知データの場合には、優先順位情報選択部２１０は、記憶部２０１に記憶された複数の優先順位情報２１３から残再生時間４０３を優先させる第１優先順位情報２１３ａを選択する。【０１３２】
また、優先順位情報選択部２１０は、コンテンツ２１１の再生目的が試聴、又はウェイクアップ画像の場合には、残再生時間４０３を優先させる第１優先順位情報２１３ａを選択する。【０１３３】
また、図６Ｂに示す優先順位情報管理情報２１４ａを用いる場合、優先順位情報選択部２１０は、コンテンツ２１１の種別に関する情報を取得する。ここでは、コンテンツ２１１の種別が「音楽」なので、優先順位情報選択部２１０は、残再生時間４０３を優先させる第１優先順位情報２１３ａを選択する。【０１３４】
優先順位情報選択部２１０は、選択した優先順位情報２１３を選択優先順位情報として権利選択部２０４へ通知する。【０１３５】
権利選択部２０４は、優先順位情報選択部２１０から通知された選択優先順位情報に従い、権利管理部２０３から通知された複数の権利情報の優先順位の判定を行い、優先順位の高い権利情報を選択する（Ｓ１０２）。【０１３６】
具体的には、権利選択部２０４は、選択優先順位情報が第１優先順位情報２１３ａの場合、再生時間３０４が指定されている権利２１２ｂに対応する権利情報を選択し、選択優先順位情報が第２優先順位情報２１３ｂの場合、再生回数３０３が指定されている権利２１２ａに対応する権利情報を選択する。【０１３７】
権利選択部２０４は、選択した権利情報である選択権利情報を生成する。【０１３８】
権利情報が決定されると、記憶制御部２０２は、記憶部２０１からコンテンツ２１１を読み出す。コンテンツ再生部２０５は、記憶制御部２０２により読み出されたコンテンツ２１１の再生を開始する（Ｓ１０３）。【０１３９】
コンテンツ再生部２０５によるコンテンツ２１１の再生開始時に、権利管理部２０３は、現在時刻計測部２０７から現在時刻を取得し、取得した現在時刻を再生開始時刻として保持する。【０１４０】
コンテンツ再生部２０５によるコンテンツ２１１の再生終了後、コンテンツ再生部２０５は、当該再生によりコンテンツ２１１を再生した回数を示す再生回数情報を再生情報取得部２０６に通知する。【０１４１】
権利管理部２０３は、再生情報取得部２０６から再生回数情報を取得する。また、権利管理部２０３は、現在時刻計測部２０７から取得した現在時刻と、保持する再生開始時刻とを差分することにより、コンテンツ２１１が再生された時間を示す再生時間情報を生成する。【０１４２】
権利管理部２０３は、再生回数情報又は再生時間情報を用いて権利２１２に含まれる再生回数３０３ａ又は再生時間３０４ａの更新を行う（Ｓ１０４）。また、権利管理部２０３は、当該更新により再生回数３０３ａ又は再生時間３０４ａが設定回数３０３ｂ又は設定時間３０４ｂに達した場合には、再生可能／不可能フラグ３０１を不可能に更新する。権利管理部２０３は、更新した権利２１２を、記憶制御部２０２を経由して、記憶部２０１に保存する。【０１４３】
以上より、本発明の実施の形態１に係る移動体端末装置４は、それぞれが複数の権利２１２の優先順位を示す複数の優先順位情報２１３と、複数の優先順位情報２１３とコンテンツの再生条件との対応関係を示す優先順位情報管理情報２１４とを記憶する。移動体端末装置４は、優先順位情報管理情報２１４を用いて、コンテンツ２１１の再生条件に応じて優先順位情報２１３を選択する。移動体端末装置４は、選択した優先順位情報２１３に従い、複数の権利２１２のうちコンテンツ２１１の再生に用いる権利２１２を選択する。【０１４４】
これにより、本発明の実施の形態１に係る移動体端末装置４は、コンテンツ２１１の再生条件に応じて、複数の権利２１２のうち最適な権利２１２を使用してコンテンツ２１１を再生できる。【０１４５】
具体的には、音楽データを電話又はメールの着信通知データとして用いる場合、１回当たりの再生時間が少ない。図６Ａに示す優先順位情報管理情報２１４を用いることで、優先順位情報選択部２１０は、再生回数３０３よりも再生時間３０４を優先させる第１優先順位情報２１３ａを選択する。これにより、権利選択部２０４は、再生時間３０４が指定された権利２１２ｂを選択する。【０１４６】
例えば、コンテンツ２１１をメール着信通知データとして使用する場合、メール着信通知時間が１０秒間だとすると、権利２１２ａを使用した場合５回しか再生できないが、権利２１２ｂを使用した場合１８回再生可能となる。【０１４７】
一方、音楽データを、ユーザがコンテンツ一覧などから直接再生することを選択するユーザ再生の場合は、優先順位情報選択部２１０は、再生時間３０４よりも再生回数３０３を優先させる第２優先順位情報２１３ｂを選択する。これにより、権利選択部２０４は、再生回数３０３が指定された権利２１２ａを選択する。【０１４８】
例えば、コンテンツ２１１をユーザがコンテンツ一覧などから明示的に選択して再生する場合、１回の再生あたり１分間コンテンツ２１１を再生するため、権利２１２ａを使用した場合５回再生できるが、権利２１２ｂを使用した場合３回しか再生できない。【０１４９】
このように、移動体端末装置４は、コンテンツ２１１の１回の再生時間が短い場合には、再生時間３０４が指定された権利２１２ｂを選択し、１回の再生時間が長い場合には、再生回数３０３が指定された権利２１２ａを選択する。つまり、移動体端末装置４は、再生できる回数及び時間が最も多くなる権利２１２を使用してコンテンツ２１１を再生できる。【０１５０】
また、コンテンツ２１１の種別が画像の場合には１回の再生時間が比較的短い。図６Ｂに示す優先順位情報管理情報２１４ａを用いることで、優先順位情報選択部２１０は、複数の優先順位情報２１３から再生回数３０３よりも再生時間３０４を優先させる第１優先順位情報２１３ａを選択する。これにより、権利選択部２０４は、再生時間３０４が指定された権利２１２ｂを選択する。【０１５１】
一方、コンテンツの種別が音楽又は映像の場合は、１回の再生時間が画像と比較して長い。優先順位情報選択部２１０は、コンテンツ２１１の種別が音楽又は映像の場合には、複数の優先順位情報２１３から再生時間３０４よりも再生回数３０３を優先させる第２優先順位情報２１３ｂを選択する。これにより、権利選択部２０４は、再生回数３０３が指定された権利２１２ａを選択する。【０１５２】
このように、移動体端末装置４は、コンテンツ２１１の１回の再生時間が短い場合には、再生時間３０４が指定された権利２１２ｂを選択し、１回の再生時間が長い場合には、再生回数３０３が指定された権利２１２ａを選択する。つまり、移動体端末装置４は、再生できる回数が最も多くなる権利２１２を使用してコンテンツ２１１を再生できる。【０１５３】
なお、図６Ｃに示す優先順位情報管理情報２１４ｂを用いて優先順位情報２１３を選択する場合、上述したようにコンテンツ２１１の再生前にのみ権利の選択（Ｓ１０２）を行うのではなく、実際にコンテンツ２１１を再生した後に権利の再選択を行う必要がある。【０１５４】
例えば、ユーザが明示的にコンテンツ２１１を選択して再生するユーザ再生の場合、コンテンツ再生前は優先順位情報２１３として、残再生回数４０２を優先させる第２優先順位情報２１３ｂが選択され、コンテンツ２１１の再生処理が行われる。【０１５５】
しかしながら、再生中にユーザが再生を中止した場合、再生時間がコンテンツ２１１を全て再生した場合の時間と比較して非常に短い可能性がある。このような場合にも、効率的に権利２１２を使用するため、再生終了後に、権利管理部２０３は、生成した再生時間情報を優先順位情報選択部２１０に通知する。優先順位情報選択部２１０は、図６Ｃに示す、再生目的に加え再生時間を条件とした優先順位情報管理情報２１４ｂを使用して再度優先順位情報２１３を選択する。【０１５６】
以下、図６Ｃに示す優先順位情報管理情報２１４ｂを用いて優先順位情報２１３を選択する場合の移動体端末装置４の動作の詳細を説明する。ここでは、コンテンツを全て再生した場合の時間が１分の音楽データを再生する場合を例に説明する。また、優先順位情報管理情報２１４ｂの条件である設定時間は、メール着信通知時間と同一の１０秒間とする。また、優先順位情報選択部２１０は、優先順位情報管理情報２１４として、再生開始時は図６Ａに示す優先順位情報管理情報２１４を使用し、再生終了時は図６Ｃに示す優先順位情報管理情報２１４ｂを使用する。【０１５７】
図８は、図６Ｃに示す優先順位情報管理情報２１４ｂを用いて優先順位情報２１３を選択する場合の、移動体端末装置４のコンテンツ再生動作の流れを示すフローチャートである。【０１５８】
再生開始時には、図６Ａの優先順位情報管理情報２１４に基づき、優先順位情報選択部２１０は、残再生回数４０２を優先させる第２優先順位情報２１３ｂを選択する（Ｓ２０１）。権利選択部２０４は、第２優先順位情報２１３ｂに従い、再生回数３０３が指定された権利２１２ａを選択する（Ｓ２０２）。【０１５９】
次に、コンテンツ再生部２０５は、コンテンツ２１１を再生する（Ｓ２０３）。【０１６０】
次に、権利管理部２０３は、権利２１２ａを更新する（Ｓ２０４）。【０１６１】
ここで、ユーザがコンテンツ２１１の再生開始後５秒で再生を中止したとする。この場合、再生目的がユーザ再生（Ｓ２０５でＹｅｓ）、かつ再生時間≦設定時間（Ｓ２０６でＹｅｓ）となるため、コンテンツ２１１の再生後に、優先順位情報選択部２１０は、図６Ｃに示す優先順位情報管理情報２１４ｂに基づき、残再生時間４０３を優先させる第１優先順位情報２１３ａを再選択する（Ｓ２０７）。【０１６２】
再選択された第１優先順位情報２１３ａは、権利選択部２０４に通知される。権利選択部２０４は、権利情報として、再生回数３０３が指定された権利２１２ａにかえて、再生時間３０４が指定された権利２１２ｂを再選択する（Ｓ２０８）。【０１６３】
権利管理部２０３は、再選択された権利２１２ｂを更新する。権利管理部２０３は、更新した権利２１２ｂを、記憶制御部２０２を経由して、記憶部２０１に保存する。また、権利管理部２０３は、ステップＳ２０４で更新した権利２１２ａを更新前の状態に戻す（Ｓ２０９）。【０１６４】
このように、コンテンツ再生後に、優先順位情報選択部２１０は優先順位情報２１３を再選択し、権利選択部２０４は、再選択された優先順位情報に従って、権利情報を再選択する。これにより、移動体端末装置４は、再生前に選択した権利２１２を変更できる。【０１６５】
なお、ユーザが再生開始後、特にコンテンツの再生を中止しない場合は、再生時間＞設定時間となり（Ｓ２０６でＮｏ）、再生開始前と同様の第２優先順位情報２１３ｂが選択されるので、権利２１２の再選択は行われない。また、コンテンツ２１１をメール着信通知データとして使用する場合（Ｓ２０５でＮｏ）は、再生開始前と同様の第１優先順位情報２１３ａが選択されるので、権利２１２の再選択は行われない。【０１６６】
以上より、ユーザ再生におけるコンテンツ２１１の再生時間が予定よりも短くなった場合には、移動体端末装置４は、再生前に決定された、再生回数３０３が制限された権利２１２ａをそのまま使用するのでなく、再生時間３０４が制限された権利２１２ｂを使用するので、ユーザにとって最も有利になる状態でコンテンツ２１１を再生できる。【０１６７】
（実施の形態２）
次に本発明の実施の形態２に係る端末装置について図９〜図１１を参照して説明する。【０１６８】
まず、本発明の実施の形態２に係る端末装置の構成を説明する。【０１６９】
図９は、本発明の実施の形態２におけるサービスを概念的に示す図である。【０１７０】
本発明の実施の形態１では、記憶部２０１は、優先順位情報２１３及び優先順位情報管理情報２１４を予め記憶していたが、本発明の実施の形態２では、優先順位情報２１３及び優先順位情報管理情報２１４は、インターネット等のネットワークを通じて移動体端末装置４に配信され、記憶部２０１は、配信された優先順位情報２１３及び優先順位情報管理情報２１４を記憶する。【０１７１】
すなわち、図９に示すように、コンテンツ配信会社１が提供する優先順位情報２１３及び優先順位情報管理情報２１４は、コンテンツ２１１及び権利２１２と同様に、移動体通信網２を経由し、基地局３から移動体端末装置４に配信される。【０１７２】
図１０は、本発明の実施の形態２に係る移動体端末装置４の構成概要を示すブロック図である。【０１７３】
図１０に示す移動体端末装置４は、実施の形態１に係る移動体端末装置４の構成に加え、優先順位情報管理情報生成部２１５を備える。【０１７４】
また、送受信部２０８は、移動体通信網２を介して優先順位情報２１３及び優先順位情報管理情報２１４を取得する。送受信部２０８は、取得した優先順位情報２１３及び優先順位情報管理情報２１４を、データ解析部２０９を介して、優先順位情報管理情報生成部２１５に通知する。【０１７５】
優先順位情報管理情報生成部２１５は、通知された優先順位情報２１３及び優先順位情報管理情報２１４を、記憶制御部２０２を介して記憶部２０１に保存する。【０１７６】
この構成により、コンテンツ配信会社１が所望の優先順位情報２１３及び優先順位情報管理情報２１４を指定することが可能となる。【０１７７】
次に、移動体端末装置４による優先順位情報生成動作を説明する。【０１７８】
図１１は、移動体端末装置４による優先順位情報生成動作の流れを示すフローチャートである。【０１７９】
まず、送受信部２０８は、優先順位情報２１３及び優先順位情報管理情報２１４を受信する（Ｓ３０１）。【０１８０】
次に、優先順位情報管理情報生成部２１５は、記憶部２０１に既に優先順位情報管理情報２１４が保存されているか否かを判定する（Ｓ３０２）。【０１８１】
記憶部２０１に優先順位情報管理情報２１４が保存されていない場合（Ｓ３０２でＮｏ）、優先順位情報管理情報生成部２１５は、ステップＳ３０１で受信された優先順位情報２１３及び優先順位情報管理情報２１４を、記憶制御部２０２を介して記憶部２０１に保存する（Ｓ３０３）。【０１８２】
一方、記憶部２０１に優先順位情報管理情報２１４が保存されている場合（Ｓ３０２でＹｅｓ）、次に、優先順位情報管理情報生成部２１５は、記憶制御部２０２を介して記憶部２０１に保存されている優先順位情報管理情報２１４を取得する（Ｓ３０４）。【０１８３】
次に、優先順位情報管理情報生成部２１５は、ステップＳ３０４で取得した、記憶部２０１に記憶されている優先順位情報管理情報２１４が、ステップＳ３０１で受信された優先順位情報管理情報２１４が有する条件種別（再生目的又はコンテンツ種別等）と同じ条件種別を有するか否かを判定する（Ｓ３０５）。【０１８４】
同じ条件種別を有さない場合（Ｓ３０５でＮｏ）、優先順位情報管理情報生成部２１５は、ステップＳ３０１で受信された優先順位情報２１３及び優先順位情報管理情報２１４を、優先順位情報２１３及び優先順位情報管理情報２１４として、記憶部２０１に保存する（Ｓ３０３）。【０１８５】
この際、優先順位情報管理情報生成部２１５は、記憶部２０１に記憶されていた優先順位情報２１３及び優先順位情報管理情報２１４を削除してもよいし、記憶部２０１が複数の優先順位情報管理情報２１４と、複数の優先順位情報管理情報２１４にそれぞれ対応する複数の優先順位情報２１３を記憶してもよい。記憶部２０１が複数の優先順位情報管理情報２１４を記憶する場合には、コンテンツ配信会社１からの指示、又は移動体端末装置４におけるユーザの設定に応じて、いずれかの優先順位情報管理情報２１４を用いればよい。【０１８６】
一方、ステップＳ３０５で同じ条件種別を有する場合（Ｓ３０５でＹｅｓ）、優先順位情報管理情報生成部２１５は、新たに受信した優先順位情報管理情報２１４と、記憶部２０１に記憶されていた優先順位情報管理情報２１４とをマージする。優先順位情報管理情報生成部２１５は、記憶部２０１に記憶されていた優先順位情報管理情報２１４を、マージした優先順位情報管理情報２１４に更新する。また、優先順位情報管理情報２１４は、新たに受信した優先順位情報２１３を記憶部２０１に保存する（Ｓ３０３）。【０１８７】
例えば、図６Ａに示す優先順位情報管理情報２１４において、「ユーザ再生」、「着信通知データ」、「試聴」の３つの条件のみを有する優先順位情報管理情報２１４が記憶部２０１に記憶されており、新たに「ウェイクアップ画像」の条件を有する優先順位情報管理情報２１４がコンテンツ配信会社１から送信されたとする。この場合、優先順位情報管理情報生成部２１５は、上記２つの優先順位情報管理情報２１４をマージすることで、図６Ａに示す優先順位情報管理情報２１４を生成する。【０１８８】
なお、記憶部２０１に保持されている優先順位情報管理情報２１４と、新たに受信した優先順位情報管理情報２１４とは、同一のコンテンツ配信会社１から配信されたものでも、異なるコンテンツ配信会社１から配信されたものでもよい。【０１８９】
以上より、本発明の実施の形態２に係る移動体端末装置４において、コンテンツ配信会社１は、優先順位情報２１３及び優先順位情報管理情報２１４を任意のタイミングで変更及び更新できる。【０１９０】
（実施の形態３）
次に本発明の実施の形態３に係る端末装置について図１２〜図１４を参照して説明する。【０１９１】
本発明の実施の形態１では、記憶部２０１は、予め優先順位情報管理情報２１４を記憶していたが、本発明の実施の形態３では、移動体端末装置４が優先順位情報管理情報２１４を生成及び変更する。【０１９２】
まず、本発明の実施の形態３に係る移動体端末装置４の構成を説明する。【０１９３】
なお、著作権保護されたコンテンツ２１１のダウンロード及び再生に関するサービスイメージは、図１と同様である。【０１９４】
図１２は、本発明の実施の形態３に係る移動体端末装置４の構成を示すブロック図である。【０１９５】
図１２に示す移動体端末装置４は、図２に示す実施の形態１に係る移動体端末装置４の構成に加え、さらにユーザ操作入力部２１６と、優先順位情報管理情報生成部２１７とを備える。【０１９６】
ユーザ操作入力部２１６は、優先順位情報管理情報２１４の生成又は変更に関するユーザの操作が入力される。【０１９７】
優先順位情報管理情報生成部２１７は、ユーザ操作入力部２１６に入力されたユーザの操作に応じて、優先順位情報管理情報２１４を生成又は変更を行う。【０１９８】
また、優先順位情報管理情報生成部２１７は、記憶部２０１に記憶される複数の権利２１２の状態に応じて、優先順位情報管理情報２１４を生成又は変更する。具体的には、優先順位情報管理情報生成部２１７は、記憶部２０１に新たに権利２１２が記憶された際に、当該権利２１２の内容に応じて、新たな優先順位情報管理情報２１４を生成又は変更する。また、優先順位情報管理情報生成部２１７は、コンテンツ２１１の再生により権利２１２が更新された際に、優先順位情報管理情報２１４を変更する。【０１９９】
次に、本発明の実施の形態３に係る移動体端末装置４の動作を説明する。【０２００】
まず、ユーザ操作により優先順位情報管理情報２１４を変更する際の移動体端末装置４の動作を説明する。【０２０１】
また、ここでは、記憶部２０１に図６Ａに示す優先順位情報管理情報２１４がユーザにより設定される例を説明する。【０２０２】
図１３は、ユーザ操作入力画面の一例を示す図である。図１３に示すように、ユーザ操作により、条件ごとに再生時間を優先するか再生回数を優先するかが設定される。優先順位情報管理情報生成部２１７は、「再生時間優先」が設定された条件に対して第１優先順位情報２１３ａを対応付け、「再生回数優先」が設定された条件に対して第２優先順位情報２１３ｂを対応付けた優先順位情報管理情報２１４を生成する。【０２０３】
優先順位情報管理情報生成部２１７は、生成した優先順位情報管理情報２１４を、記憶制御部２０２を介して、記憶部２０１に記憶する。【０２０４】
なお、図６Ｃに示す優先順位情報管理情報２１４ｂのように、再生時間と設定時間との大小関係により優先順位情報２１３が指定される場合には、ユーザの操作により、優先順位情報管理情報２１４ｂにおける設定時間が設定されてもよい。【０２０５】
また、ユーザの操作により複数の優先順位情報２１３が設定されてもよい。【０２０６】
以上より、本発明の実施の形態３に係る移動体端末装置４は、ユーザ操作に応じて、優先順位情報管理情報２１４を変更できる。これにより、ユーザの利便性を向上できる。【０２０７】
次に、複数の権利２１２の状態に応じて、優先順位情報管理情報２１４を変更する際の移動体端末装置４の動作を説明する。【０２０８】
図１４は、複数の権利２１２の状態に応じて、優先順位情報管理情報２１４を変更する際の優先順位情報管理情報生成部２１７の動作の流れを示すフローチャートである。【０２０９】
また、ここでは、記憶部２０１に、図６Ａに示す優先順位情報管理情報２１４と、図４Ａ及び図４Ｂに示す権利２１２ａ及び２１２ｂとが記憶されているとする。また、再生目的がユーザ再生の場合のコンテンツ２１１の再生時間は１分であり、再生目的が着信通知データの場合のコンテンツ２１１の再生時間は１０秒であるとする。【０２１０】
まず、権利２１２ａ及び権利２１２ｂを用いたコンテンツ２１１の再生が一度も行われていない場合を説明する。【０２１１】
まず、優先順位情報管理情報生成部２１７は、優先順位情報管理情報２１４に含まれる条件のうち、例えば、「ユーザ再生」を選択する（Ｓ４０１）。【０２１２】
次に、優先順位情報管理情報生成部２１７は、権利２１２ｂの残再生時間（３分）を「ユーザ再生」に応じた再生時間（１分）で除算することで、権利２１２ｂを用いてユーザ再生を行った場合の再生回数（３回）を算出する。優先順位情報管理情報生成部２１７は、除算した値と、権利２１２ａの残再生回数を比較し、除算した値が、権利２１２ａの残再生回数より多いか否かを判定する（Ｓ４０２）。【０２１３】
ここでは、除算した値（３回）が残再生回数（５回）より少ないので（Ｓ４０２でＮｏ）、優先順位情報管理情報生成部２１７は、条件「ユーザ再生」に対応する優先順位情報２１３として残再生時間４０３より残再生回数４０２を優先する第２優先順位情報２１３ｂを選択する（Ｓ４０４）。【０２１４】
ここでは、全ての条件に対して処理が終了していないので（Ｓ４０５でＮｏ）、次に、優先順位情報管理情報生成部２１７は、条件「着信通知データ」を選択する（Ｓ４０１）。【０２１５】
次に、優先順位情報管理情報生成部２１７は、権利２１２ｂの残再生時間（３分）を「着信通知データ」に応じた再生時間（１０秒）で除算することで、権利２１２ｂを用いて着信通知を行った場合の再生回数（１８回）を算出する。優先順位情報管理情報生成部２１７は、除算した値と、権利２１２ａの残再生回数を比較し、除算した値が、権利２１２ａの残再生回数より多いか否かを判定する（Ｓ４０２）。【０２１６】
ここでは、除算した値（１８回）が残再生回数（５回）より多いので（Ｓ４０２でＹｅｓ）、優先順位情報管理情報生成部２１７は、条件「着信通知データ」に対応する優先順位情報２１３として残再生回数４０２より残再生時間４０３を優先する第１優先順位情報２１３ａを選択する（Ｓ４０３）。【０２１７】
次に、条件「試聴」及び「ウェイクアップ画像」に対して同様の処理が行われ、全ての条件に対して処理が終了すると（Ｓ４０５でＹｅｓ）、優先順位情報管理情報生成部２１７は、各条件にステップＳ４０３及びＳ４０４で選択した優先順位情報２１３を対応付けた優先順位情報管理情報２１４を生成する。優先順位情報管理情報生成部２１７は、記憶部２０１に記憶される優先順位情報管理情報２１４を、生成した優先順位情報管理情報２１４に変更する。【０２１８】
次に、権利２１２ａを使用したコンテンツ２１１の再生が行われ、権利２１２ａの残再生回数が１回である場合を説明する。【０２１９】
この場合、「ユーザ再生」に対するステップＳ４０２において、権利２１２ｂの残再生時間（３分）を「ユーザ再生」に応じた再生時間（１分）で除算した値（３回）が、権利２１２ａの残再生回数（１回）より多いので、優先順位情報管理情報生成部２１７は、条件「ユーザ再生」に対応する優先順位情報２１３として残再生回数より残再生時間を優先する第１優先順位情報２１３ａを選択する（Ｓ４０３）。【０２２０】
これにより、条件「ユーザ再生」及び「着信通知データ」に対応する優先順位情報２１３は、共に、残再生回数４０２より残再生時間４０３を優先する第１優先順位情報２１３ａとなる。【０２２１】
以上より、本発明の実施の形態３に係る移動体端末装置４は、複数の権利２１２の使用状況に応じて、最適な権利２１２を選択できる。【０２２２】
なお、優先順位情報管理情報生成部２１７は、図１４に示す処理を、コンテンツ再生後に権利管理部２０３により権利２１２が更新された際、所定の期間ごと、又は、ユーザ操作に応じて行う。【０２２３】
また、各再生目的に応じた再生時間は、ユーザ操作入力部２１６を介したユーザの操作により設定されてもよいし、記憶部２０１が予め記憶しておいてもよいし、送受信部２０８により移動体通信網２を介して取得されてもよい。【０２２４】
また、移動体端末装置４は、新たに権利２１２が取得された際に、図１４に示す処理により、優先順位情報管理情報２１４を生成できる。例えば、権利２１２ａのみが記憶部２０１に記録されている状況において、移動体端末装置４が新たに権利２１２ｂを取得した場合に、図１４に示す処理により、優先順位情報管理情報２１４を生成できる。【０２２５】
以上、本発明の実施の形態に係る移動体端末装置について説明したが、本発明は、この実施の形態に限定されるものではない。【０２２６】
例えば、上記実施の形態１〜３の説明において、主にコンテンツ２１１が音楽データの場合を説明したが、コンテンツ２１１は、音楽以外の音声データ、静止画像、動画像、又はアニメーション等を表示するＪａｖａ（登録商標）アプリケーション等のアプリケーションプログラムであってもよい。つまり、上述したコンテンツの再生は、コンテンツの処理と置き換え可能である。ここで、コンテンツの処理とは、音声データの再生、静止画像の表示、動画像の再生、及びアプリケーションプログラムの実行等である。【０２２７】
また、上記実施の形態１〜３の説明において、本発明を携帯電話等の移動体端末装置に適用した例を説明したが、本発明は、パーソナルコンピュータ等の据置型端末装置に適用してもよい。【０２２８】
また、上記実施の形態１〜３の説明において、移動体端末装置４は、コンテンツ２１１及び権利２１２を、インターネット等の移動体通信網２を経由して取得するとしたが、コンテンツ２１１及び権利２１２のうちいずれか１以上を、移動体端末装置４に着脱可能な記録媒体等を介して取得してもよい。同様に、実施の形態２の説明において、移動体端末装置４は、優先順位情報２１３及び優先順位情報管理情報２１４のうちいずれか１以上を、移動体端末装置４に着脱可能な記録媒体等を介して取得してもよい。【０２２９】
また、上記実施の形態１〜３の説明において、優先順位情報管理情報２１４の例として、図６Ａ、図６Ｂ及び図６Ｃに示す例を示したが、優先順位情報管理情報２１４の条件として、再生目的、コンテンツ種別及び再生時間のいずれか１つ、又はいずれか２以上の組み合わせを用いてもよい。【０２３０】
また、図２に示す、記憶制御部２０２、権利管理部２０３、権利選択部２０４、コンテンツ再生部２０５、再生情報取得部２０６、現在時刻計測部２０７、データ解析部２０９、及び優先順位情報選択部２１０の各機能ブロックは、典型的には集積回路であるＬＳＩ１１００として実現される。これらは、個別に１チップ化されても良いし、一部又は全てを含むように１チップ化されても良い。【０２３１】
図１５に実施の形態１に係る移動体端末装置４が備える集積回路の一例を示す。ＬＳＩ１１００は、移動体端末装置４が備える集積回路の一例を示す。つまり、ＬＳＩ１１００は、集積回路化する機能ブロックの範囲の例である。ここでは、ＬＳＩとしたが、集積度の違いにより、ＩＣ、システムＬＳＩ、スーパーＬＳＩ、ウルトラＬＳＩと呼称されることもある。【０２３２】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用しても良い。【０２３３】
さらには、半導体技術の進歩又は派生する別技術によりＬＳＩに置き換わる集積回路化の技術が登場すれば、当然その技術を用いて機能ブロックの集積化を行ってもよい。バイオ技術の適応等が可能性としてありえる。【０２３４】
また、移動体端末装置４を構成する各機能ブロックの機能は、ＣＰＵ及びメモリを備える端末装置がプログラムを実行することにより実現してもよい。また、本発明は、当該プログラムを記録した記録媒体として実現してもよい。
【産業上の利用可能性】
【０２３５】
本発明は、端末装置、権利優先順位判定方法、プログラム及び集積回路に適用でき、特に、携帯電話等の移動体端末装置に適用できる。
【図１】
2008132798.tif 000003
【図２】
2008132798.tif 000004
【図３】
2008132798.tif 000005
【図４Ａ】
2008132798.tif 000006
【図４Ｂ】
2008132798.tif 000007
【図５Ａ】
2008132798.tif 000008
【図５Ｂ】
2008132798.tif 000009
【図５Ｃ】
2008132798.tif 000010
【図６Ａ】
2008132798.tif 000011
【図６Ｂ】
2008132798.tif 000012
【図６Ｃ】
2008132798.tif 000013
【図７】
2008132798.tif 000014
【図８】
2008132798.tif 000015
【図９】
2008132798.tif 000016
【図１０】
2008132798.tif 000017
【図１１】
2008132798.tif 000018
【図１２】
2008132798.tif 000019
【図１３】
2008132798.tif 000020
【図１４】
2008132798.tif 000021
【図１５】
2008132798.tif 000022
【手続補正書】
【提出日】平成21年1月29日(2009.1.29)
【手続補正１】
【補正対象書類名】明細書
【補正対象項目名】全文
【補正方法】変更
【補正の内容】
【発明の詳細な説明】
【技術分野】
【０００１】
本発明は、端末装置、権利優先順位判定方法、プログラム、及び集積回路に関し、特に、コンテンツの処理を予め定められた範囲まで許可する複数の権利に基づき、当該コンテンツを処理する端末装置に関する。
【背景技術】
【０００２】
周知のように、携帯電話等の移動体端末装置として、インターネット等のネットワークに接続して通信できる機能（以下、通信機能という）を備えた装置が普及している。
【０００３】
これら通信機能を備えた移動体端末装置は、著作権保護された映像又は音楽等のコンテンツをコンテンツ提供業者からダウンロードし、ダウンロードしたコンテンツを再生できる。
【０００４】
通常、著作権保護されたコンテンツの再生には、そのコンテンツに対応した権利を必要とする。権利には、コンテンツを再生する有効期間が指定されており、この有効期間内のみ、コンテンツが再生できる。
【０００５】
図１は、著作権保護されたコンテンツのダウンロード及び再生に関するサービスを概念的に示す図である。
【０００６】
コンテンツ配信会社１は、提供するコンテンツ２１１と、当該コンテンツ２１１に対応する権利２１２とを保持する。コンテンツ配信会社１は、コンテンツ２１１及び権利２１２を、移動体通信網２を経由し、基地局３から移動体端末装置４に配信する。
【０００７】
移動体端末装置４は、移動体端末装置４内の権利２１２で指定された有効期間内にのみ、コンテンツを再生する。
【０００８】
上記サービスでは、１つのコンテンツ２１１に対応する権利２１２は１つの場合もあれば、複数の権利が存在する場合もある。例えば、１つのコンテンツ２１１に対応する複数の権利として、ユーザが購入した権利と、ユーザが他者から贈与された権利と、試聴等の無料の権利とが存在する場合がある。
【０００９】
１つのコンテンツ２１１に対応する複数の権利２１２が移動体端末装置４内に存在する場合において、著作権保護されたコンテンツ２１１を再生する際、ユーザが最も効率的なコンテンツ２１１を再生できる技術が特許文献１に開示されている。
【００１０】
特許文献１に記載の技術は、移動体端末装置４内に複数の権利２１２が存在する場合に、予め定められた優先度に従って、コンテンツ２１１の再生に使用する権利２１２を決定する。
【００１１】
これにより、例えば、複数の権利２１２において有効期間と再生回数とが指定される場合、ユーザが最も長い期間、かつ最も多くの回数で当該コンテンツ２１１を再生できる。また、複数の権利２１２において有効期間と再生時間とが指定される場合、ユーザが最も長い期間、当該コンテンツ２１１を再生できる。さらに、複数の権利２１２において再生期間と再生回数とが指定される場合、ユーザが最も長い期間、かつ最も多くの回数で当該コンテンツ２１１を再生できる。
【特許文献１】特開２００４−３４８３８４号公報
【発明の開示】
【発明が解決しようとする課題】
【００１２】
しかしながら、特許文献１に記載の技術では、優先順位の判定手順が固定であるため、コンテンツ２１１の種類、再生目的、又は再生状況によっては最適な判定が行われない場合がある。
【００１３】
例えば、配信された音楽コンテンツをそのまま再生する場合と、当該音楽コンテンツをメール又は電話の着信通知データとして使用する場合には、再生時間が大きく異なる。また、音楽コンテンツを再生しているときに、電話又は急用等によってユーザが再生を中止する場合がある。
【００１４】
このような場合に、優先順位情報における優先度を一定、例えば、権利の残再生回数を残再生時間に対して常に優先させるようにしたのでは、ユーザは最も長い期間、かつ最も多くの回数で当該音楽コンテンツを再生できないおそれがある。
【００１５】
そこで本発明は、複数の権利のうち最適な権利を使用できる端末装置、権利優先順位判定方法、プログラム、及び集積回路を提供することを目的とする。
【課題を解決するための手段】
【００１６】
上記目的を達成するために、本発明に係る端末装置は、コンテンツの処理を許可する複数の権利に基づき、当該コンテンツを処理する端末装置であって、前記複数の権利に対する優先順位を決定するための複数の優先順位情報のうち、処理するコンテンツの処理条件に対応する優先順位情報を選択する優先順位情報選択部と、前記選択された優先順位情報を用いて前記複数の権利の優先順位を決定し、決定した優先順位に従い前記複数の権利のうち優先順位の最も高い権利を選択する権利選択部と、前記選択された権利に基づき当該コンテンツを処理するコンテンツ処理部とを備える。
【００１７】
この構成によれば、本発明に係る端末装置は、コンテンツ処理時に、複数の優先順位情報から当該コンテンツの処理条件に対応した優先順位情報を選択し、選択した優先順位情報に従って、複数の権利からコンテンツ処理に使用する権利を選択する。つまり、本発明に係る端末装置は、固定された優先順位に従い権利を選択する従来の技術と異なり、コンテンツの処理条件に応じて、異なる優先順位に従い権利を選択する。
【００１８】
これにより、本発明に係る端末装置は、ユーザにとって最も有利になる権利に基づいてコンテンツを処理できる。つまり、本発明に係る端末装置は、複数の権利のうち最適な権利を使用してコンテンツを処理できる。
【００１９】
なお、ここで、コンテンツの処理とは、映像及び音声コンテンツの再生、静止画像の表示、及びアプリケーションプログラムの実行等である。
【００２０】
また、前記複数の権利は、コンテンツの処理時間を指定する第１権利と、コンテンツの処理回数を指定する第２権利とを含み、前記複数の優先順位情報は、前記処理時間が前記処理回数より優先順位が高いことを示す第１優先順位情報と、前記処理回数が前記処理時間より優先順位が高いことを示す第２優先順位情報とを含み、前記権利選択部は、前記優先順位情報選択部により前記第１優先順位情報が選択された場合、当該第１優先順位情報を用いて前記第１権利が前記第２権利より優先順位が高いと決定し、前記優先順位情報選択部により前記第２優先順位情報が選択された場合、当該第２優先順位情報を用いて前記第２権利が前記第１権利より優先順位が高いと決定してもよい。
【００２１】
この構成によれば、本発明に係る端末装置は、コンテンツの処理条件に応じて、処理時間を優先するか、処理回数を優先するかを選択できる。
【００２２】
また、前記優先順位情報選択部は、処理するコンテンツの処理時間が第１処理時間の場合、前記第１優先順位情報を選択し、処理するコンテンツの処理時間が前記第１処理時間より長い第２処理時間の場合、前記第２優先順位情報を選択してもよい。
【００２３】
この構成によれば、本発明に係る端末装置は、コンテンツの処理時間が長い場合には、処理回数を指定する権利を優先し、コンテンツの処理時間が短い場合には、処理時間を指定する権利を優先する。これにより、ユーザは、最も長い期間、かつ最も多くの回数でコンテンツを処理できる。
【００２４】
また、前記コンテンツの処理条件は、コンテンツの種別又は処理目的であってもよい。
【００２５】
この構成によれば、本発明に係る端末装置は、音楽データ、動画像データ及び静止画データ等のコンテンツの種別、又は、そのまま再生するかメール又は電話の着信通知データとして使用するかといったコンテンツの処理目的に応じて、権利の優先度を選択できる。
【００２６】
また、前記コンテンツの処理条件は、コンテンツの処理目的であり、前記優先順位情報選択部は、処理するコンテンツの処理目的が着信通知データの場合、前記第１優先順位情報を選択し、処理するコンテンツの処理目的がユーザの操作による再生の場合、前記第２優先順位情報を選択してもよい。
【００２７】
この構成によれば、本発明に係る端末装置は、処理時間が短い着信通知データとしてコンテンツを再生する場合には、処理時間を有する権利を優先して選択し、処理時間が長い、ユーザによるコンテンツの再生の場合には、処理回数を有する権利を優先して選択する。これにより、本発明に係る端末装置は、複数の権利のうち最適な権利を使用してコンテンツを処理できる。
【００２８】
また、前記コンテンツの処理条件は、コンテンツの種別であり、前記優先順位情報選択部は、処理するコンテンツの種別が静止画像の場合、前記第１優先順位情報を選択し、処理するコンテンツの種別が動画像又は音声の場合、前記第２優先順位情報を選択してもよい。
【００２９】
この構成によれば、本発明に係る端末装置は、処理時間が短い静止画像の再生の場合には、処理時間を有する権利を優先して選択し、処理時間が長い動画像又は音声の再生の場合には、処理回数を有する権利を優先して選択する。これにより、本発明に係る端末装置は、複数の権利のうち最適な権利を使用してコンテンツを処理できる。
【００３０】
また、前記端末装置は、さらに、前記複数の優先順位情報と、コンテンツの処理条件との対応関係を示す優先順位情報管理情報を生成する優先順位情報管理情報生成部を備え、前記優先順位情報選択部は、前記優先順位情報管理情報に従い、前記複数の優先順位情報のうち、処理するコンテンツの処理条件に対応する優先順位情報を選択してもよい。
【００３１】
この構成によれば、本発明に係る端末装置において、コンテンツの処理条件と、複数の優先順位情報との対応関係を設定できる。
【００３２】
また、前記端末装置は、さらに、ユーザの操作が入力されるユーザ操作入力部を備え、前記優先順位情報管理情報生成部は、前記ユーザの操作に応じて、前記優先順位情報管理情報を生成してもよい。
【００３３】
この構成によれば、ユーザは、コンテンツの処理条件と、複数の優先順位情報との対応関係を任意に設定できる。
【００３４】
また、前記複数の権利は、コンテンツの処理時間である第１処理時間を指定する第１権利と、コンテンツの処理回数である第１処理回数を指定する第２権利とを含み、前記複数の優先順位情報は、前記処理時間が前記処理回数より優先順位が高いことを示す第１優先順位情報と、前記処理回数が前記処理時間より優先順位が高いことを示す第２優先順位情報とを含み、前記優先順位情報管理情報生成部は、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成してもよい。
【００３５】
この構成によれば、本発明に係る端末装置は、コンテンツの処理目的そのものによって優先順位情報の選択を行うのではなく、コンテンツの処理時間に応じた優先順位情報を選択できる。これにより、本発明に係る端末装置は、より最適な権利を用いてコンテンツを処理できる。
【００３６】
さらに、本発明に係る端末装置は、新たに取得した権利、又は権利の使用状況に応じて、動的に優先順位情報管理情報を生成又は更新できる。これにより、本発明に係る端末装置は、常に最適な権利を使用できる。
【００３７】
また、前記端末装置は、さらに、ネットワークを経由して、前記複数の優先順位情報とコンテンツの処理条件との対応関係を示す優先順位情報管理情報を取得する受信部を備え、前記優先順位情報選択部は、前記優先順位情報管理情報に従い、前記複数の優先順位情報のうち、処理するコンテンツの処理条件に対応する優先順位情報を選択してもよい。
【００３８】
この構成によれば、コンテンツ配信会社は、コンテンツを処理する端末装置に対して、コンテンツの処理条件と、複数の優先順位情報との対応関係を指定できる。
【００３９】
また、前記優先順位情報選択部は、前記コンテンツ再生部によるコンテンツの再生後に、当該コンテンツの再生時間を取得し、当該再生時間が予め定められた設定時間より短い場合、前記第１優先順位情報を選択し、前記権利選択部は、前記第１優先順位情報を用いて前記第１権利を選択し、前記端末装置は、さらに、前記コンテンツ再生部によるコンテンツの再生状況に応じて、前記第１権利を更新する権利更新部を備えてもよい。
【００４０】
この構成によれば、コンテンツの処理時間が予定よりも短くなった場合、例えば、音楽コンテンツを再生しているときに、電話又は急用等によってユーザが再生を中止する場合には、本発明に係る端末装置は、処理回数よりも処理時間を優先させる第１優先順位情報を、コンテンツ再生後に選択する。これにより、本発明に係る端末装置は、ユーザにとって最も有利になる状態でコンテンツを処理できる。
【００４１】
また、前記優先順位情報選択部は、前記コンテンツ再生部によるコンテンツの再生前に、前記第２優先順位情報を選択し、前記権利選択部は、前記第２優先順位情報を用いて前記第２権利を選択し、前記コンテンツ処理部は、前記選択された第２権利に基づき当該コンテンツを処理し、前記権利更新部は、前記コンテンツ再生部によるコンテンツ再生状況に応じて、前記第２権利を更新し、前記優先順位情報選択部は、前記コンテンツ再生部によるコンテンツの再生時間が前記設定時間より短い場合、前記コンテンツの再生後に前記第１優先順位情報を再選択し、前記権利選択部は、前記第１優先順位情報を用いて前記第１権利を再選択し、前記権利更新部は、前記コンテンツ再生部によるコンテンツ再生状況に応じて、前記第１権利を更新するとともに、前記第２権利を更新前の状態に戻してもよい。
【００４２】
この構成によれば、権利管理部は、再度決定された権利の更新を行うとともに、コンテンツの処理前に決定された権利を決定前の状態に戻す処理を行う。よって、コンテンツの処理後に、使用される権利が変わっても特に問題が生じない。
【００４３】
また、本発明に係る権利優先順位判定方法は、コンテンツの処理を許可する複数の権利に基づき、当該コンテンツを処理する端末装置における権利優先順位判定方法であって、前記複数の権利に対する優先順位を決定するための複数の優先順位情報のうち、処理するコンテンツの処理条件に対応する優先順位情報を選択する優先順位情報選択ステップと、前記選択された優先順位情報を用いて前記複数の権利の優先順位を決定し、決定した優先順位に従い前記複数の権利のうち優先順位の最も高い権利を選択する権利選択ステップと、前記選択された権利に基づき当該コンテンツを処理するコンテンツ処理ステップとを含む。
【００４４】
これによれば、本発明に係る権利優先順位判定方法は、コンテンツ処理時に、複数の優先順位情報から当該コンテンツの処理条件に対応した優先順位情報を選択し、選択した優先順位情報に従って、複数の権利からコンテンツ処理に使用する権利を選択する。つまり、本発明に係る権利優先順位判定方法は、固定された優先順位に従い権利を選択する従来の技術と異なり、コンテンツの処理条件に応じて、異なる優先順位に従い権利を選択する。
【００４５】
これにより、本発明に係る権利優先順位判定方法は、ユーザにとって最も有利になる権利に基づいてコンテンツを処理できる。つまり、本発明に係る権利優先順位判定方法は、複数の権利のうち最適な権利を使用してコンテンツを処理できる。
【００４６】
なお、本発明は、このような端末装置として実現できるだけでなく、端末装置に含まれる特徴的な手段をステップとする権利優先順位判定方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。さらに、本発明は、端末装置の機能の一部又は全てを実現する集積回路として実現できる。
【発明の効果】
【００４７】
以上より、本発明は、複数の権利のうち最適な権利を使用できる端末装置、権利優先順位判定方法、プログラム、及び集積回路を提供できる。
【発明を実施するための最良の形態】
【００４８】
（実施の形態１）
本発明の実施の形態１に係る端末装置について図１〜図８を参照して説明する。
【００４９】
本発明の実施の形態１に係る端末装置は、複数の権利のうちコンテンツの再生に用いる権利を決定するための優先順位を示す複数の優先順位情報を記憶し、コンテンツの再生条件に応じて優先順位情報を選択する。これにより、本発明の実施の形態１に係る端末装置は、複数の権利のうち最適な権利を使用できる。
【００５０】
まず、本発明の実施の形態１に係る端末装置の構成を説明する。
【００５１】
著作権保護されたコンテンツ２１１のダウンロード及び再生に関するサービスイメージは、図１と同様である。
【００５２】
コンテンツ配信会社１は、提供するコンテンツ２１１と、当該コンテンツ２１１に対応する権利２１２とを保持する。コンテンツ配信会社１は、コンテンツ２１１及び権利２１２を、インターネット等の移動体通信網２を経由し、基地局３から移動体端末装置４に配信する。
【００５３】
移動体端末装置４は、本発明に係る権利優先順位判定可能な端末装置であり、コンテンツ２１１の再生を許可する複数の権利２１２に基づき、当該コンテンツ２１１を再生する。つまり、移動体端末装置４は、コンテンツ２１１の再生時には、移動体端末装置４内に記憶された権利２１２で指定された有効期間、再生回数、及び再生時間等の条件を満たす場合にのみ、コンテンツ２１１を再生する。
【００５４】
移動体端末装置４は、例えば、携帯電話である。なお、移動体端末装置４は、携帯情報端末（ＰＤＡ）、及びノート型パーソナルコンピュータ等であってもよい。
【００５５】
図２は、本発明の実施の形態１に係る権利優先順位判定可能な移動体端末装置４の構成概要を示すブロック図である。
【００５６】
図２に示す移動体端末装置４は、記憶部２０１と、記憶制御部２０２と、権利管理部２０３と、権利選択部２０４と、コンテンツ再生部２０５と、再生情報取得部２０６と、現在時刻計測部２０７と、送受信部２０８と、データ解析部２０９と、優先順位情報選択部２１０とを備える。
【００５７】
記憶部２０１は、コンテンツ２１１と、複数の権利２１２と、複数の優先順位情報２１３と、優先順位情報管理情報２１４とを記憶する。記憶部２０１は、例えば、ハード・ディスク・ドライブ（ＨＤＤ）、又は不揮発性メモリ等である。なお、記憶部２０１は、移動体端末装置４に着脱可能な記録媒体（メモリカード等）であってもよい。
【００５８】
コンテンツ２１１は、コンテンツ配信会社１により配信されたコンテンツである。複数の権利２１２は、コンテンツ２１１の再生を予め定められた範囲まで許可する権利である。
【００５９】
複数の優先順位情報２１３は、それぞれ複数の権利２１２に対する優先順位を決定するための手順を示す情報である。
【００６０】
優先順位情報管理情報２１４は、複数の優先順位情報２１３と、コンテンツ２１１の再生条件との対応関係を示す情報である。
【００６１】
記憶制御部２０２は、記憶部２０１に対するデータの書き込み、更新及び読み出しを行う。
【００６２】
権利管理部２０３は、権利２１２の管理を行う。具体的には、権利管理部２０３は、配信された権利２１２とコンテンツ２１１との関連付けを行ったのち、記憶制御部２０２を介して、記憶部２０１に記憶する。
【００６３】
また、権利管理部２０３は、コンテンツ２１１の再生の際に、当該コンテンツ２１１に対応する複数の権利２１２に基づき、当該コンテンツ２１１の再生の可／不可を判定する。権利管理部２０３は、判定結果を示す権利情報を生成し、生成した権利情報を権利選択部２０４に通知する。
【００６４】
また、権利管理部２０３は、コンテンツ２１１の再生にともない、コンテンツ２１１の再生状況に応じて権利２１２を更新し、更新した権利２１２を、記憶制御部２０２を介して、記憶部２０１に記憶する。
【００６５】
優先順位情報選択部２１０は、優先順位情報管理情報２１４に従い、複数の優先順位情報２１３のうち、再生するコンテンツ２１１の再生条件に対応する優先順位情報２１３を選択する。優先順位情報選択部２１０は、選択した優先順位情報２１３である選択優先順位情報を権利選択部２０４へ通知する。
【００６６】
権利選択部２０４は、優先順位情報選択部２１０から通知された選択優先順位情報を用いて、権利管理部２０３から通知された複数の権利情報の優先順位を決定する。権利選択部２０４は、決定した優先順位に従い、複数の権利情報のうち優先順位の最も高い権利情報を選択する。権利選択部２０４は、選択した権利情報を選択権利情報として権利管理部２０３に通知する。
【００６７】
コンテンツ再生部２０５は、権利選択部２０４により選択された権利情報に基づきコンテンツ２１１を再生する。
【００６８】
再生情報取得部２０６は、コンテンツ再生部２０５によりコンテンツ２１１が再生された回数を示す再生回数情報を、コンテンツ再生部２０５から取得する。
【００６９】
現在時刻計測部２０７は、現在の時刻を計測する。
【００７０】
送受信部２０８は、移動体通信網２を介してコンテンツ配信会社１により配信されたコンテンツ２１１及び権利２１２を受信する。
【００７１】
データ解析部２０９は、送受信部２０８により受信されたデータを解析することで、当該データがコンテンツ２１１であるか、権利２１２であるかを判定する。データ解析部２０９は、送受信部２０８により受信されたデータがコンテンツ２１１である場合、当該コンテンツを、記憶制御部２０２を経由して、記憶部２０１に記憶する。また、データ解析部２０９は、送受信部２０８により受信されたデータが権利２１２である場合、当該権利２１２を権利管理部２０３に出力する。
【００７２】
次に、権利２１２及び権利情報の構成を説明する。
【００７３】
図３は、権利管理部２０３によって生成される権利情報３００のデータ構造を概念的に示す図である。権利情報３００は、再生可能／不可能フラグ３０１と、有効期間３０２と、再生回数３０３と、再生時間３０４と、時間指定再生回数３０５とを含む。なお、権利２１２の構成も、権利情報３００と同様である。
【００７４】
再生可能／不可能フラグ３０１は、権利２１２を用いてコンテンツ２１１を生成可能であるか否かを示す情報である。この例では、再生可能／不可能フラグ３０１は、再生可能であることを示す。
【００７５】
有効期間３０２は、権利２１２を用いたコンテンツ２１１の再生を許可する期間を指定する情報である。
【００７６】
有効期間３０２は、権利２１２の有効期間の開始時間である開始時間３０２ａと、権利２１２の有効期間の終了時間である終了時間３０２ｂとを含む。この例では、有効期間３０２は、権利の有効期間が、２００７年２月１日００時００分００秒から２００７年２月１０日２３時５９分５９秒の間であることを示す。
【００７７】
再生回数３０３は、コンテンツ２１１の再生を許可する回数を指定する、つまり当該権利２１２を用いて残り何回コンテンツ２１１を再生できるかを示す情報である。
【００７８】
再生回数３０３は、再生回数３０３ａと、設定回数３０３ｂとを含む。再生回数３０３ａは、権利判定時までに、既に当該権利２１２を用いてコンテンツ２１１を再生した回数である。設定回数３０３ｂは、権利取得時に定められたコンテンツ２１１を再生できる回数である。この例では、設定回数３０３ｂは５回であり、再生回数３０３ａは３回である。つまり、この例では、再生回数３０３は、当該権利２１２を用いて残り２回コンテンツ２１１の再生を許可することを示す。
【００７９】
再生時間３０４は、コンテンツ２１１の再生を許可する時間を指定する、つまり当該権利２１２を用いて残り何秒コンテンツ２１１を再生できるかを示す情報である。
【００８０】
再生時間３０４は、再生時間３０４ａと、設定時間３０４ｂとを含む。再生時間３０４ａは、権利判定時までに、既に当該権利２１２を用いてコンテンツ２１１を再生した時間である。設定時間３０４ｂは、権利取得時に定められたコンテンツ２１１を再生できる時間である。この例では、設定時間３０４ｂは３分であり、再生時間は５秒である。つまり、この例では、再生時間３０４は、当該権利２１２を用いて残り２分５５秒コンテンツ２１１の再生を許可することを示す。
【００８１】
時間指定再生回数３０５は、指定された時間以上のコンテンツ２１１の再生を許可する回数を指定する情報である。
【００８２】
時間指定再生回数３０５は、指定時間３０５ａと、再生回数３０５ｂと、設定回数３０５ｃとを含む。指定時間３０５ａは、再生と判断するまでの再生時間である。再生回数３０５ｂは、権利判定時までに、既に当該権利２１２を用いてコンテンツ２１１を再生した回数である。設定回数３０３ｂは、権利取得時に定められたコンテンツ２１１を再生できる回数である。この例では、指定時間３０５ａは３０秒であり、設定回数３０５ｃは５回であり、再生回数３０５ｂは３回である。例えば、５秒でコンテンツ２１１の再生を終了した場合、再生回数３０５ｂは増加しない。これにより、ユーザの誤操作等によりコンテンツ２１１を誤って再生した場合には、権利は消費されない。
【００８３】
なお、図３において、権利情報３００は、再生可能／不可能フラグ３０１と、有効期間３０２と、再生回数３０３と、再生時間３０４と、時間指定再生回数３０５とを含んでいるが、権利情報３００は、有効期間３０２、再生回数３０３、再生時間３０４、及び時間指定再生回数３０５のうちいずれか１以上と、再生可能／不可能フラグ３０１とを含めばよい。
【００８４】
図４Ａ及び図４Ｂは、権利２１２（権利情報３００）の具体例を示す図である。また、以下、２月１日を２／１のように、月／日の形式で記す。
【００８５】
図４Ａに示す権利２１２ａは、有効期間３０２と再生回数３０３とを指定する権利で、２／１〜２／１０の期間中に５回までコンテンツ２１１の再生を許可する権利である。図４Ｂに示す権利２１２ｂは、有効期間３０２と再生時間３０４とを指定する権利で、２／１〜２／１０の期間中に３分間までコンテンツ２１１の再生を許可する権利である。
【００８６】
次に、優先順位情報２１３について説明する。
【００８７】
図５Ａは、個別の制限情報（有効期間３０２、再生回数３０３、再生時間３０４）毎に権利の優先順位を示す図である。複数の権利２１２に複数の制限情報が含まれる場合、図５Ａで示した優先順位を組み合わせて優先順位が決定される。つまり、図５Ａに示す優先順位を組み合わせることで、コンテンツ２１１の再生目的などの各種条件に応じた複数の優先順位情報２１３が決定される。
【００８８】
この例では、残りの有効期間である残有効期間４０１と、残りの再生回数である残再生回数４０２と、残りの再生時間である残再生時間４０３との３つを、２つの権利２１２を比較する場合の判定要素とする。
【００８９】
残有効期間４０１については、２つの権利２１２を比較した場合、残りの有効期間の長い方の優先度を高くするように優先順位が決定される。残再生回数４０２については、２つの権利を比較した場合、残りの再生回数の多い方の優先度を高くするように優先順位が決定される。残再生時間４０３については、２つの権利を比較した場合、残りの再生時間の長い方の優先度を高くするように優先順位が決定される。
【００９０】
なお、判定要素として他に時間指定再生時間又は時間指定再生回数３０５等の他の要素を加えてもよい。ここで、時間指定再生時間とは、指定された時間以上のコンテンツ２１１の再生を許可する時間を指定する情報である。
【００９１】
また、図５Ａに示す優先度の関係は、一例であり、ユーザ又はコンテンツ配信会社１の要望に応じて、適宜変更してよい。
【００９２】
次に、記憶部２０１に記憶される複数の優先順位情報２１３に含まれる第１優先順位情報２１３ａ及び第２優先順位情報２１３ｂの構成を説明する。
【００９３】
図５Ｂは、図５Ａで示す優先順位を組み合わせて決定された第１優先順位情報２１３ａの構成を示す図である。第１優先順位情報２１３ａは、残再生回数４０２、残再生時間４０３、残有効期間４０１の順で優先度が高くなるように設定されている。
【００９４】
第１優先順位情報２１３ａは、２つの権利を比較した場合、残有効期間４０１の長い方の権利を第１位の優先順位とし、短い方の権利を第２位の優先順位とする。また、第１優先順位情報２１３ａは、残有効期間４０１が同じ、又は共に無い場合には、残再生時間４０３の長い方の権利を第３位の優先順位とし、短い方の権利を第４位の優先順位とする。さらに第１優先順位情報２１３ａは、残再生時間４０３が同じ、又は共に無い場合には、残再生回数４０２の多い方の権利を第５位の優先順位とし、少ない方の権利を第６位の優先順位とし、残再生回数４０２が同じ場合には第７位の優先順位とする。
【００９５】
例えば、図４Ａ及び図４Ｂに示す権利２１２ａ及び２１２ｂを比較した場合、権利２１２ａ及び２１２ｂに同じ有効期間３０２が指定されている。さらに、権利２１２ａに再生時間３０４が指定されておらず、かつ権利２１２ｂに再生時間３０４が指定されている。よって、権利２１２ｂの優先順位は第３位又は第４位となり、権利２１２ａの優先順位は第５位以下となる。つまり、権利２１２ｂの優先順位は、権利２１２ａの優先順位より高くなる。
【００９６】
図５Ｃは、図５Ａで示す優先順位を組み合わせて決定された第２優先順位情報２１３ｂの構成を示す図である。第２優先順位情報２１３ｂは、残再生時間４０３、残再生回数４０２、残有効期間４０１の順で優先度が高くなるように設定されている。
【００９７】
第２優先順位情報２１３ｂは、２つの権利を比較した場合、残有効期間４０１の長い方の権利を第１位の優先順位とし、短い方の権利を第２位の優先順位とする。また、第２優先順位情報２１３ｂは、残有効期間４０１が同じ、又は共に無い場合には、残再生回数４０２の多い方の権利を第３位の優先順位とし、少ない方の権利を第４位の優先順位とする。さらに第２優先順位情報２１３ｂは、残再生回数４０２が同じ、又は共に無い場合には、残再生時間４０３の長い方の権利を第５位の優先順位とし、短い方の権利を第６位の優先順位とし、残再生時間４０３が同じ場合には第７位の優先順位とする。
【００９８】
例えば、図４Ａ及び図４Ｂに示す権利２１２ａ及び２１２ｂを比較した場合、権利２１２ａ及び２１２ｂに同じ有効期間３０２が指定されている。さらに、権利２１２ａに再生回数３０３が指定されており、かつ権利２１２ｂに再生回数３０３が指定されていない。よって、権利２１２ａの優先順位は第３位又は第４位となり、権利２１２ｂの優先順位は第５位以下となる。つまり、権利２１２ａの優先順位は、権利２１２ｂの優先順位より高くなる。
【００９９】
このように、優先順位情報２１３は、２つの権利２１２に含まれる制限情報の種別に応じて、権利２１２の優先度を指定する。さらに、優先順位情報２１３は、２つの権利２１２に同じ種別の制限情報が含まれている場合には、当該制限情報の値に応じた優先順位を指定する。
【０１００】
次に、優先順位情報管理情報２１４の構成を説明する。
【０１０１】
図６Ａは、優先順位情報管理情報２１４の構成を示す図である。
【０１０２】
図６Ａに示す優先順位情報管理情報２１４は、４つの再生目的と、４つの再生目的のそれぞれに対応する優先順位情報２１３との組み合わせを示す。
【０１０３】
優先順位情報管理情報２１４において、比較的再生時間が長い再生目的「ユーザ再生」に、残再生回数４０２を優先する第２優先順位情報２１３ｂが対応付けられ、「ユーザ再生」に比べ再生時間が短い再生目的「着信通知データ」、「試聴」及び「ウェイクアップ画像」に、残再生時間４０３を優先する第１優先順位情報２１３ａが対応付けられる。
【０１０４】
また、優先順位情報管理情報２１４の条件として、コンテンツ２１１の種別を条件としてもよい。
【０１０５】
図６Ｂは、コンテンツ２１１の種別を条件とした優先順位情報管理情報２１４ａの構成を示す図である。
【０１０６】
図６Ｂに示す優先順位情報管理情報２１４ａは、３つのコンテンツ種別と、３つのコンテンツ種別のそれぞれに対応する優先順位情報２１３との組み合わせを示す。
【０１０７】
優先順位情報管理情報２１４ａにおいて、比較的再生時間が短いコンテンツ種別「画像」に、残再生時間４０３を優先する第１優先順位情報２１３ａが対応付けられ、コンテンツ種別「画像」に比べ再生時間が長いコンテンツ種別「音楽」及び「映像」に、残再生回数４０２を優先する第２優先順位情報２１３ｂが対応付けられる。ここで、画像とは静止画であり、映像とは動画像である。
【０１０８】
また、優先順位情報管理情報２１４の条件としてコンテンツ２１１の再生目的に加えコンテンツ２１１の再生時間を条件としてもよい。
【０１０９】
図６Ｃは、コンテンツ２１１の再生目的に加えコンテンツの再生時間を条件とした優先順位情報管理情報２１４ｂの構成を示す図である。
【０１１０】
図６Ｃに示す優先順位情報管理情報２１４ｂは、２つの再生目的に加え、再生目的が「ユーザ再生」の場合、さらに、再生時間に応じて、異なる優先順位情報２１３を指定する。
【０１１１】
優先順位情報管理情報２１４ｂにおいて、比較的再生時間が短い再生目的「着信通知データ」に、残再生時間４０３を優先する第１優先順位情報２１３ａが対応付けられる。
【０１１２】
また、優先順位情報管理情報２１４ｂにおいて、比較的再生時間が長い再生目的「ユーザ再生」において、さらに、再生時間が予め設定された設定時間より長いか否かにより、指定される優先順位情報２１３が異なる。具体的には、再生時間が設定時間より短い場合には、残再生時間４０３を優先する第１優先順位情報２１３ａが指定され、再生時間が設定時間より長い場合には、残再生回数４０２を優先する第２優先順位情報２１３ｂが指定される。
【０１１３】
次に、本発明の実施の形態１に係る移動体端末装置４の動作を説明する。
【０１１４】
以下、移動体端末装置４が、コンテンツ配信会社１からコンテンツ２１１及び複数の権利２１２をダウンロードする動作を説明する。
【０１１５】
まず、送受信部２０８は、移動体通信網２を介してコンテンツ２１１及び複数の権利２１２を受信する。
【０１１６】
データ解析部２０９は、送受信部２０８で受信されたコンテンツ２１１及び権利２１２の内容を解析し、受信したデータからコンテンツ２１１と権利２１２とを分離する。データ解析部２０９は、分離したコンテンツ２１１を、記憶制御部２０２を経由して記憶部２０１に記憶する。また、データ解析部２０９は、分離した権利２１２を、権利管理部２０３に出力する。
【０１１７】
権利管理部２０３は、データ解析部２０９により出力された権利２１２とコンテンツ２１１との関連付けを行い、関連付けを行った権利２１２を、記憶制御部２０２を経由して記憶部２０１に記憶する。
【０１１８】
以上のように、移動体端末装置４は、コンテンツ配信会社１からのコンテンツ２１１及び複数の権利２１２をダウンロードし、記憶部２０１に記憶する。
【０１１９】
次に、移動体端末装置４によるコンテンツ２１１の再生動作を説明する。
【０１２０】
図７は、移動体端末装置４によるコンテンツ２１１の再生動作の流れを示すフローチャートである。
【０１２１】
ここでは、記憶部２０１に記憶される複数の権利２１２は、図４Ａ及び図４Ｂに示す権利２１２ａ及び権利２１２ｂであり、２月９日に移動体端末装置４がコンテンツ２１１を再生する場合を例に説明する。
【０１２２】
また、２つの権利２１２ａ及び２１２ｂと関連付けられたコンテンツ２１１は、全て再生した場合の再生時間が１分の音楽コンテンツであるとする。
【０１２３】
まず、記憶制御部２０２は、再生するコンテンツ２１１に対応する複数の権利２１２（権利２１２ａ及び２１２ｂ）を記憶部２０１から読み出し、読み出した権利２１２ａ及び２１２ｂを権利管理部２０３に出力する。
【０１２４】
権利管理部２０３は、権利２１２ａ及び２１２ｂのそれぞれに示されるコンテンツ２１１の再生の可／不可を判定し、判定結果を示す複数の権利情報を生成する。具体的には、権利管理部２０３は、権利２１２ａ及び２１２ｂに含まれる再生可能／不可能フラグ３０１と、現在の日時及び有効期間３０２とに基づき、権利２１２ａ及び２１２ｂを用いたコンテンツ２１１の再生の可／不可を判定する。また、権利管理部２０３は、不可と判定した権利２１２ａ及び２１２ｂに対応する再生可能／不可能フラグ３０１を再生不可に変更する。
【０１２５】
なお、再生可能／不可能フラグ３０１は、記憶部２０１に記憶される権利２１２に含まれなくともよい。この場合、権利管理部２０３は、権利２１２を読み出した際に、現在の日時と、有効期間３０２と、再生回数３０３と、再生時間３０４と、時間指定再生回数３０５とに基づき、再生可能／不可能フラグ３０１を生成すればよい。
【０１２６】
権利管理部２０３は、生成した複数の権利情報を、権利選択部２０４に通知する。
【０１２７】
優先順位情報選択部２１０は、記憶制御部２０２を経由して、記憶部２０１から取得した優先順位情報管理情報２１４に従い、再生するコンテンツ２１１の再生条件に対応する優先順位情報２１３を選択する（Ｓ１０１）。
【０１２８】
具体的には、図６Ａに示す優先順位情報管理情報２１４を用いる場合、優先順位情報選択部２１０は、コンテンツ２１１の再生目的に関する情報を取得する。優先順位情報選択部２１０は、優先順位情報管理情報２１４に従い、コンテンツ２１１の再生目的が、ユーザによる再生（ユーザ再生）の場合には、記憶部２０１に記憶された複数の優先順位情報２１３から残再生回数４０２を優先させる第２優先順位情報２１３ｂを選択する。
【０１２９】
また、コンテンツ２１１の再生目的が、着信通知データの場合には、優先順位情報選択部２１０は、記憶部２０１に記憶された複数の優先順位情報２１３から残再生時間４０３を優先させる第１優先順位情報２１３ａを選択する。
【０１３０】
また、優先順位情報選択部２１０は、コンテンツ２１１の再生目的が試聴、又はウェイクアップ画像の場合には、残再生時間４０３を優先させる第１優先順位情報２１３ａを選択する。
【０１３１】
また、図６Ｂに示す優先順位情報管理情報２１４ａを用いる場合、優先順位情報選択部２１０は、コンテンツ２１１の種別に関する情報を取得する。ここでは、コンテンツ２１１の種別が「音楽」なので、優先順位情報選択部２１０は、残再生時間４０３を優先させる第１優先順位情報２１３ａを選択する。
【０１３２】
優先順位情報選択部２１０は、選択した優先順位情報２１３を選択優先順位情報として権利選択部２０４へ通知する。
【０１３３】
権利選択部２０４は、優先順位情報選択部２１０から通知された選択優先順位情報に従い、権利管理部２０３から通知された複数の権利情報の優先順位の判定を行い、優先順位の高い権利情報を選択する（Ｓ１０２）。
【０１３４】
具体的には、権利選択部２０４は、選択優先順位情報が第１優先順位情報２１３ａの場合、再生時間３０４が指定されている権利２１２ｂに対応する権利情報を選択し、選択優先順位情報が第２優先順位情報２１３ｂの場合、再生回数３０３が指定されている権利２１２ａに対応する権利情報を選択する。
【０１３５】
権利選択部２０４は、選択した権利情報である選択権利情報を生成する。
【０１３６】
権利情報が決定されると、記憶制御部２０２は、記憶部２０１からコンテンツ２１１を読み出す。コンテンツ再生部２０５は、記憶制御部２０２により読み出されたコンテンツ２１１の再生を開始する（Ｓ１０３）。
【０１３７】
コンテンツ再生部２０５によるコンテンツ２１１の再生開始時に、権利管理部２０３は、現在時刻計測部２０７から現在時刻を取得し、取得した現在時刻を再生開始時刻として保持する。
【０１３８】
コンテンツ再生部２０５によるコンテンツ２１１の再生終了後、コンテンツ再生部２０５は、当該再生によりコンテンツ２１１を再生した回数を示す再生回数情報を再生情報取得部２０６に通知する。
【０１３９】
権利管理部２０３は、再生情報取得部２０６から再生回数情報を取得する。また、権利管理部２０３は、現在時刻計測部２０７から取得した現在時刻と、保持する再生開始時刻とを差分することにより、コンテンツ２１１が再生された時間を示す再生時間情報を生成する。
【０１４０】
権利管理部２０３は、再生回数情報又は再生時間情報を用いて権利２１２に含まれる再生回数３０３ａ又は再生時間３０４ａの更新を行う（Ｓ１０４）。また、権利管理部２０３は、当該更新により再生回数３０３ａ又は再生時間３０４ａが設定回数３０３ｂ又は設定時間３０４ｂに達した場合には、再生可能／不可能フラグ３０１を不可能に更新する。権利管理部２０３は、更新した権利２１２を、記憶制御部２０２を経由して、記憶部２０１に保存する。
【０１４１】
以上より、本発明の実施の形態１に係る移動体端末装置４は、それぞれが複数の権利２１２の優先順位を示す複数の優先順位情報２１３と、複数の優先順位情報２１３とコンテンツの再生条件との対応関係を示す優先順位情報管理情報２１４とを記憶する。移動体端末装置４は、優先順位情報管理情報２１４を用いて、コンテンツ２１１の再生条件に応じて優先順位情報２１３を選択する。移動体端末装置４は、選択した優先順位情報２１３に従い、複数の権利２１２のうちコンテンツ２１１の再生に用いる権利２１２を選択する。
【０１４２】
これにより、本発明の実施の形態１に係る移動体端末装置４は、コンテンツ２１１の再生条件に応じて、複数の権利２１２のうち最適な権利２１２を使用してコンテンツ２１１を再生できる。
【０１４３】
具体的には、音楽データを電話又はメールの着信通知データとして用いる場合、１回当たりの再生時間が少ない。図６Ａに示す優先順位情報管理情報２１４を用いることで、優先順位情報選択部２１０は、再生回数３０３よりも再生時間３０４を優先させる第１優先順位情報２１３ａを選択する。これにより、権利選択部２０４は、再生時間３０４が指定された権利２１２ｂを選択する。
【０１４４】
例えば、コンテンツ２１１をメール着信通知データとして使用する場合、メール着信通知時間が１０秒間だとすると、権利２１２ａを使用した場合５回しか再生できないが、権利２１２ｂを使用した場合１８回再生可能となる。
【０１４５】
一方、音楽データを、ユーザがコンテンツ一覧などから直接再生することを選択するユーザ再生の場合は、優先順位情報選択部２１０は、再生時間３０４よりも再生回数３０３を優先させる第２優先順位情報２１３ｂを選択する。これにより、権利選択部２０４は、再生回数３０３が指定された権利２１２ａを選択する。
【０１４６】
例えば、コンテンツ２１１をユーザがコンテンツ一覧などから明示的に選択して再生する場合、１回の再生あたり１分間コンテンツ２１１を再生するため、権利２１２ａを使用した場合５回再生できるが、権利２１２ｂを使用した場合３回しか再生できない。
【０１４７】
このように、移動体端末装置４は、コンテンツ２１１の１回の再生時間が短い場合には、再生時間３０４が指定された権利２１２ｂを選択し、１回の再生時間が長い場合には、再生回数３０３が指定された権利２１２ａを選択する。つまり、移動体端末装置４は、再生できる回数及び時間が最も多くなる権利２１２を使用してコンテンツ２１１を再生できる。
【０１４８】
また、コンテンツ２１１の種別が画像の場合には１回の再生時間が比較的短い。図６Ｂに示す優先順位情報管理情報２１４ａを用いることで、優先順位情報選択部２１０は、複数の優先順位情報２１３から再生回数３０３よりも再生時間３０４を優先させる第１優先順位情報２１３ａを選択する。これにより、権利選択部２０４は、再生時間３０４が指定された権利２１２ｂを選択する。
【０１４９】
一方、コンテンツの種別が音楽又は映像の場合は、１回の再生時間が画像と比較して長い。優先順位情報選択部２１０は、コンテンツ２１１の種別が音楽又は映像の場合には、複数の優先順位情報２１３から再生時間３０４よりも再生回数３０３を優先させる第２優先順位情報２１３ｂを選択する。これにより、権利選択部２０４は、再生回数３０３が指定された権利２１２ａを選択する。
【０１５０】
このように、移動体端末装置４は、コンテンツ２１１の１回の再生時間が短い場合には、再生時間３０４が指定された権利２１２ｂを選択し、１回の再生時間が長い場合には、再生回数３０３が指定された権利２１２ａを選択する。つまり、移動体端末装置４は、再生できる回数が最も多くなる権利２１２を使用してコンテンツ２１１を再生できる。
【０１５１】
なお、図６Ｃに示す優先順位情報管理情報２１４ｂを用いて優先順位情報２１３を選択する場合、上述したようにコンテンツ２１１の再生前にのみ権利の選択（Ｓ１０２）を行うのではなく、実際にコンテンツ２１１を再生した後に権利の再選択を行う必要がある。
【０１５２】
例えば、ユーザが明示的にコンテンツ２１１を選択して再生するユーザ再生の場合、コンテンツ再生前は優先順位情報２１３として、残再生回数４０２を優先させる第２優先順位情報２１３ｂが選択され、コンテンツ２１１の再生処理が行われる。
【０１５３】
しかしながら、再生中にユーザが再生を中止した場合、再生時間がコンテンツ２１１を全て再生した場合の時間と比較して非常に短い可能性がある。このような場合にも、効率的に権利２１２を使用するため、再生終了後に、権利管理部２０３は、生成した再生時間情報を優先順位情報選択部２１０に通知する。優先順位情報選択部２１０は、図６Ｃに示す、再生目的に加え再生時間を条件とした優先順位情報管理情報２１４ｂを使用して再度優先順位情報２１３を選択する。
【０１５４】
以下、図６Ｃに示す優先順位情報管理情報２１４ｂを用いて優先順位情報２１３を選択する場合の移動体端末装置４の動作の詳細を説明する。ここでは、コンテンツを全て再生した場合の時間が１分の音楽データを再生する場合を例に説明する。また、優先順位情報管理情報２１４ｂの条件である設定時間は、メール着信通知時間と同一の１０秒間とする。また、優先順位情報選択部２１０は、優先順位情報管理情報２１４として、再生開始時は図６Ａに示す優先順位情報管理情報２１４を使用し、再生終了時は図６Ｃに示す優先順位情報管理情報２１４ｂを使用する。
【０１５５】
図８は、図６Ｃに示す優先順位情報管理情報２１４ｂを用いて優先順位情報２１３を選択する場合の、移動体端末装置４のコンテンツ再生動作の流れを示すフローチャートである。
【０１５６】
再生開始時には、図６Ａの優先順位情報管理情報２１４に基づき、優先順位情報選択部２１０は、残再生回数４０２を優先させる第２優先順位情報２１３ｂを選択する（Ｓ２０１）。権利選択部２０４は、第２優先順位情報２１３ｂに従い、再生回数３０３が指定された権利２１２ａを選択する（Ｓ２０２）。
【０１５７】
次に、コンテンツ再生部２０５は、コンテンツ２１１を再生する（Ｓ２０３）。
【０１５８】
次に、権利管理部２０３は、権利２１２ａを更新する（Ｓ２０４）。
【０１５９】
ここで、ユーザがコンテンツ２１１の再生開始後５秒で再生を中止したとする。この場合、再生目的がユーザ再生（Ｓ２０５でＹｅｓ）、かつ再生時間≦設定時間（Ｓ２０６でＹｅｓ）となるため、コンテンツ２１１の再生後に、優先順位情報選択部２１０は、図６Ｃに示す優先順位情報管理情報２１４ｂに基づき、残再生時間４０３を優先させる第１優先順位情報２１３ａを再選択する（Ｓ２０７）。
【０１６０】
再選択された第１優先順位情報２１３ａは、権利選択部２０４に通知される。権利選択部２０４は、権利情報として、再生回数３０３が指定された権利２１２ａにかえて、再生時間３０４が指定された権利２１２ｂを再選択する（Ｓ２０８）。
【０１６１】
権利管理部２０３は、再選択された権利２１２ｂを更新する。権利管理部２０３は、更新した権利２１２ｂを、記憶制御部２０２を経由して、記憶部２０１に保存する。また、権利管理部２０３は、ステップＳ２０４で更新した権利２１２ａを更新前の状態に戻す（Ｓ２０９）。
【０１６２】
このように、コンテンツ再生後に、優先順位情報選択部２１０は優先順位情報２１３を再選択し、権利選択部２０４は、再選択された優先順位情報に従って、権利情報を再選択する。これにより、移動体端末装置４は、再生前に選択した権利２１２を変更できる。
【０１６３】
なお、ユーザが再生開始後、特にコンテンツの再生を中止しない場合は、再生時間＞設定時間となり（Ｓ２０６でＮｏ）、再生開始前と同様の第２優先順位情報２１３ｂが選択されるので、権利２１２の再選択は行われない。また、コンテンツ２１１をメール着信通知データとして使用する場合（Ｓ２０５でＮｏ）は、再生開始前と同様の第１優先順位情報２１３ａが選択されるので、権利２１２の再選択は行われない。
【０１６４】
以上より、ユーザ再生におけるコンテンツ２１１の再生時間が予定よりも短くなった場合には、移動体端末装置４は、再生前に決定された、再生回数３０３が制限された権利２１２ａをそのまま使用するのでなく、再生時間３０４が制限された権利２１２ｂを使用するので、ユーザにとって最も有利になる状態でコンテンツ２１１を再生できる。
【０１６５】
（実施の形態２）
次に本発明の実施の形態２に係る端末装置について図９〜図１１を参照して説明する。
【０１６６】
まず、本発明の実施の形態２に係る端末装置の構成を説明する。
【０１６７】
図９は、本発明の実施の形態２におけるサービスを概念的に示す図である。
【０１６８】
本発明の実施の形態１では、記憶部２０１は、優先順位情報２１３及び優先順位情報管理情報２１４を予め記憶していたが、本発明の実施の形態２では、優先順位情報２１３及び優先順位情報管理情報２１４は、インターネット等のネットワークを通じて移動体端末装置４に配信され、記憶部２０１は、配信された優先順位情報２１３及び優先順位情報管理情報２１４を記憶する。
【０１６９】
すなわち、図９に示すように、コンテンツ配信会社１が提供する優先順位情報２１３及び優先順位情報管理情報２１４は、コンテンツ２１１及び権利２１２と同様に、移動体通信網２を経由し、基地局３から移動体端末装置４に配信される。
【０１７０】
図１０は、本発明の実施の形態２に係る移動体端末装置４の構成概要を示すブロック図である。
【０１７１】
図１０に示す移動体端末装置４は、実施の形態１に係る移動体端末装置４の構成に加え、優先順位情報管理情報生成部２１５を備える。
【０１７２】
また、送受信部２０８は、移動体通信網２を介して優先順位情報２１３及び優先順位情報管理情報２１４を取得する。送受信部２０８は、取得した優先順位情報２１３及び優先順位情報管理情報２１４を、データ解析部２０９を介して、優先順位情報管理情報生成部２１５に通知する。
【０１７３】
優先順位情報管理情報生成部２１５は、通知された優先順位情報２１３及び優先順位情報管理情報２１４を、記憶制御部２０２を介して記憶部２０１に保存する。
【０１７４】
この構成により、コンテンツ配信会社１が所望の優先順位情報２１３及び優先順位情報管理情報２１４を指定することが可能となる。
【０１７５】
次に、移動体端末装置４による優先順位情報生成動作を説明する。
【０１７６】
図１１は、移動体端末装置４による優先順位情報生成動作の流れを示すフローチャートである。
【０１７７】
まず、送受信部２０８は、優先順位情報２１３及び優先順位情報管理情報２１４を受信する（Ｓ３０１）。
【０１７８】
次に、優先順位情報管理情報生成部２１５は、記憶部２０１に既に優先順位情報管理情報２１４が保存されているか否かを判定する（Ｓ３０２）。
【０１７９】
記憶部２０１に優先順位情報管理情報２１４が保存されていない場合（Ｓ３０２でＮｏ）、優先順位情報管理情報生成部２１５は、ステップＳ３０１で受信された優先順位情報２１３及び優先順位情報管理情報２１４を、記憶制御部２０２を介して記憶部２０１に保存する（Ｓ３０３）。
【０１８０】
一方、記憶部２０１に優先順位情報管理情報２１４が保存されている場合（Ｓ３０２でＹｅｓ）、次に、優先順位情報管理情報生成部２１５は、記憶制御部２０２を介して記憶部２０１に保存されている優先順位情報管理情報２１４を取得する（Ｓ３０４）。
【０１８１】
次に、優先順位情報管理情報生成部２１５は、ステップＳ３０４で取得した、記憶部２０１に記憶されている優先順位情報管理情報２１４が、ステップＳ３０１で受信された優先順位情報管理情報２１４が有する条件種別（再生目的又はコンテンツ種別等）と同じ条件種別を有するか否かを判定する（Ｓ３０５）。
【０１８２】
同じ条件種別を有さない場合（Ｓ３０５でＮｏ）、優先順位情報管理情報生成部２１５は、ステップＳ３０１で受信された優先順位情報２１３及び優先順位情報管理情報２１４を、優先順位情報２１３及び優先順位情報管理情報２１４として、記憶部２０１に保存する（Ｓ３０３）。
【０１８３】
この際、優先順位情報管理情報生成部２１５は、記憶部２０１に記憶されていた優先順位情報２１３及び優先順位情報管理情報２１４を削除してもよいし、記憶部２０１が複数の優先順位情報管理情報２１４と、複数の優先順位情報管理情報２１４にそれぞれ対応する複数の優先順位情報２１３を記憶してもよい。記憶部２０１が複数の優先順位情報管理情報２１４を記憶する場合には、コンテンツ配信会社１からの指示、又は移動体端末装置４におけるユーザの設定に応じて、いずれかの優先順位情報管理情報２１４を用いればよい。
【０１８４】
一方、ステップＳ３０５で同じ条件種別を有する場合（Ｓ３０５でＹｅｓ）、優先順位情報管理情報生成部２１５は、新たに受信した優先順位情報管理情報２１４と、記憶部２０１に記憶されていた優先順位情報管理情報２１４とをマージする。優先順位情報管理情報生成部２１５は、記憶部２０１に記憶されていた優先順位情報管理情報２１４を、マージした優先順位情報管理情報２１４に更新する。また、優先順位情報管理情報２１４は、新たに受信した優先順位情報２１３を記憶部２０１に保存する（Ｓ３０３）。
【０１８５】
例えば、図６Ａに示す優先順位情報管理情報２１４において、「ユーザ再生」、「着信通知データ」、「試聴」の３つの条件のみを有する優先順位情報管理情報２１４が記憶部２０１に記憶されており、新たに「ウェイクアップ画像」の条件を有する優先順位情報管理情報２１４がコンテンツ配信会社１から送信されたとする。この場合、優先順位情報管理情報生成部２１５は、上記２つの優先順位情報管理情報２１４をマージすることで、図６Ａに示す優先順位情報管理情報２１４を生成する。
【０１８６】
なお、記憶部２０１に保持されている優先順位情報管理情報２１４と、新たに受信した優先順位情報管理情報２１４とは、同一のコンテンツ配信会社１から配信されたものでも、異なるコンテンツ配信会社１から配信されたものでもよい。
【０１８７】
以上より、本発明の実施の形態２に係る移動体端末装置４において、コンテンツ配信会社１は、優先順位情報２１３及び優先順位情報管理情報２１４を任意のタイミングで変更及び更新できる。
【０１８８】
（実施の形態３）
次に本発明の実施の形態３に係る端末装置について図１２〜図１４を参照して説明する。
【０１８９】
本発明の実施の形態１では、記憶部２０１は、予め優先順位情報管理情報２１４を記憶していたが、本発明の実施の形態３では、移動体端末装置４が優先順位情報管理情報２１４を生成及び変更する。
【０１９０】
まず、本発明の実施の形態３に係る移動体端末装置４の構成を説明する。
【０１９１】
なお、著作権保護されたコンテンツ２１１のダウンロード及び再生に関するサービスイメージは、図１と同様である。
【０１９２】
図１２は、本発明の実施の形態３に係る移動体端末装置４の構成を示すブロック図である。
【０１９３】
図１２に示す移動体端末装置４は、図２に示す実施の形態１に係る移動体端末装置４の構成に加え、さらにユーザ操作入力部２１６と、優先順位情報管理情報生成部２１７とを備える。
【０１９４】
ユーザ操作入力部２１６は、優先順位情報管理情報２１４の生成又は変更に関するユーザの操作が入力される。
【０１９５】
優先順位情報管理情報生成部２１７は、ユーザ操作入力部２１６に入力されたユーザの操作に応じて、優先順位情報管理情報２１４を生成又は変更を行う。
【０１９６】
また、優先順位情報管理情報生成部２１７は、記憶部２０１に記憶される複数の権利２１２の状態に応じて、優先順位情報管理情報２１４を生成又は変更する。具体的には、優先順位情報管理情報生成部２１７は、記憶部２０１に新たに権利２１２が記憶された際に、当該権利２１２の内容に応じて、新たな優先順位情報管理情報２１４を生成又は変更する。また、優先順位情報管理情報生成部２１７は、コンテンツ２１１の再生により権利２１２が更新された際に、優先順位情報管理情報２１４を変更する。
【０１９７】
次に、本発明の実施の形態３に係る移動体端末装置４の動作を説明する。
【０１９８】
まず、ユーザ操作により優先順位情報管理情報２１４を変更する際の移動体端末装置４の動作を説明する。
【０１９９】
また、ここでは、記憶部２０１に図６Ａに示す優先順位情報管理情報２１４がユーザにより設定される例を説明する。
【０２００】
図１３は、ユーザ操作入力画面の一例を示す図である。図１３に示すように、ユーザ操作により、条件ごとに再生時間を優先するか再生回数を優先するかが設定される。優先順位情報管理情報生成部２１７は、「再生時間優先」が設定された条件に対して第１優先順位情報２１３ａを対応付け、「再生回数優先」が設定された条件に対して第２優先順位情報２１３ｂを対応付けた優先順位情報管理情報２１４を生成する。
【０２０１】
優先順位情報管理情報生成部２１７は、生成した優先順位情報管理情報２１４を、記憶制御部２０２を介して、記憶部２０１に記憶する。
【０２０２】
なお、図６Ｃに示す優先順位情報管理情報２１４ｂのように、再生時間と設定時間との大小関係により優先順位情報２１３が指定される場合には、ユーザの操作により、優先順位情報管理情報２１４ｂにおける設定時間が設定されてもよい。
【０２０３】
また、ユーザの操作により複数の優先順位情報２１３が設定されてもよい。
【０２０４】
以上より、本発明の実施の形態３に係る移動体端末装置４は、ユーザ操作に応じて、優先順位情報管理情報２１４を変更できる。これにより、ユーザの利便性を向上できる。
【０２０５】
次に、複数の権利２１２の状態に応じて、優先順位情報管理情報２１４を変更する際の移動体端末装置４の動作を説明する。
【０２０６】
図１４は、複数の権利２１２の状態に応じて、優先順位情報管理情報２１４を変更する際の優先順位情報管理情報生成部２１７の動作の流れを示すフローチャートである。
【０２０７】
また、ここでは、記憶部２０１に、図６Ａに示す優先順位情報管理情報２１４と、図４Ａ及び図４Ｂに示す権利２１２ａ及び２１２ｂとが記憶されているとする。また、再生目的がユーザ再生の場合のコンテンツ２１１の再生時間は１分であり、再生目的が着信通知データの場合のコンテンツ２１１の再生時間は１０秒であるとする。
【０２０８】
まず、権利２１２ａ及び権利２１２ｂを用いたコンテンツ２１１の再生が一度も行われていない場合を説明する。
【０２０９】
まず、優先順位情報管理情報生成部２１７は、優先順位情報管理情報２１４に含まれる条件のうち、例えば、「ユーザ再生」を選択する（Ｓ４０１）。
【０２１０】
次に、優先順位情報管理情報生成部２１７は、権利２１２ｂの残再生時間（３分）を「ユーザ再生」に応じた再生時間（１分）で除算することで、権利２１２ｂを用いてユーザ再生を行った場合の再生回数（３回）を算出する。優先順位情報管理情報生成部２１７は、除算した値と、権利２１２ａの残再生回数を比較し、除算した値が、権利２１２ａの残再生回数より多いか否かを判定する（Ｓ４０２）。
【０２１１】
ここでは、除算した値（３回）が残再生回数（５回）より少ないので（Ｓ４０２でＮｏ）、優先順位情報管理情報生成部２１７は、条件「ユーザ再生」に対応する優先順位情報２１３として残再生時間４０３より残再生回数４０２を優先する第２優先順位情報２１３ｂを選択する（Ｓ４０４）。
【０２１２】
ここでは、全ての条件に対して処理が終了していないので（Ｓ４０５でＮｏ）、次に、優先順位情報管理情報生成部２１７は、条件「着信通知データ」を選択する（Ｓ４０１）。
【０２１３】
次に、優先順位情報管理情報生成部２１７は、権利２１２ｂの残再生時間（３分）を「着信通知データ」に応じた再生時間（１０秒）で除算することで、権利２１２ｂを用いて着信通知を行った場合の再生回数（１８回）を算出する。優先順位情報管理情報生成部２１７は、除算した値と、権利２１２ａの残再生回数を比較し、除算した値が、権利２１２ａの残再生回数より多いか否かを判定する（Ｓ４０２）。
【０２１４】
ここでは、除算した値（１８回）が残再生回数（５回）より多いので（Ｓ４０２でＹｅｓ）、優先順位情報管理情報生成部２１７は、条件「着信通知データ」に対応する優先順位情報２１３として残再生回数４０２より残再生時間４０３を優先する第１優先順位情報２１３ａを選択する（Ｓ４０３）。
【０２１５】
次に、条件「試聴」及び「ウェイクアップ画像」に対して同様の処理が行われ、全ての条件に対して処理が終了すると（Ｓ４０５でＹｅｓ）、優先順位情報管理情報生成部２１７は、各条件にステップＳ４０３及びＳ４０４で選択した優先順位情報２１３を対応付けた優先順位情報管理情報２１４を生成する。優先順位情報管理情報生成部２１７は、記憶部２０１に記憶される優先順位情報管理情報２１４を、生成した優先順位情報管理情報２１４に変更する。
【０２１６】
次に、権利２１２ａを使用したコンテンツ２１１の再生が行われ、権利２１２ａの残再生回数が１回である場合を説明する。
【０２１７】
この場合、「ユーザ再生」に対するステップＳ４０２において、権利２１２ｂの残再生時間（３分）を「ユーザ再生」に応じた再生時間（１分）で除算した値（３回）が、権利２１２ａの残再生回数（１回）より多いので、優先順位情報管理情報生成部２１７は、条件「ユーザ再生」に対応する優先順位情報２１３として残再生回数より残再生時間を優先する第１優先順位情報２１３ａを選択する（Ｓ４０３）。
【０２１８】
これにより、条件「ユーザ再生」及び「着信通知データ」に対応する優先順位情報２１３は、共に、残再生回数４０２より残再生時間４０３を優先する第１優先順位情報２１３ａとなる。
【０２１９】
以上より、本発明の実施の形態３に係る移動体端末装置４は、複数の権利２１２の使用状況に応じて、最適な権利２１２を選択できる。
【０２２０】
なお、優先順位情報管理情報生成部２１７は、図１４に示す処理を、コンテンツ再生後に権利管理部２０３により権利２１２が更新された際、所定の期間ごと、又は、ユーザ操作に応じて行う。
【０２２１】
また、各再生目的に応じた再生時間は、ユーザ操作入力部２１６を介したユーザの操作により設定されてもよいし、記憶部２０１が予め記憶しておいてもよいし、送受信部２０８により移動体通信網２を介して取得されてもよい。
【０２２２】
また、移動体端末装置４は、新たに権利２１２が取得された際に、図１４に示す処理により、優先順位情報管理情報２１４を生成できる。例えば、権利２１２ａのみが記憶部２０１に記録されている状況において、移動体端末装置４が新たに権利２１２ｂを取得した場合に、図１４に示す処理により、優先順位情報管理情報２１４を生成できる。
【０２２３】
以上、本発明の実施の形態に係る移動体端末装置について説明したが、本発明は、この実施の形態に限定されるものではない。
【０２２４】
例えば、上記実施の形態１〜３の説明において、主にコンテンツ２１１が音楽データの場合を説明したが、コンテンツ２１１は、音楽以外の音声データ、静止画像、動画像、又はアニメーション等を表示するＪａｖａ（登録商標）アプリケーション等のアプリケーションプログラムであってもよい。つまり、上述したコンテンツの再生は、コンテンツの処理と置き換え可能である。ここで、コンテンツの処理とは、音声データの再生、静止画像の表示、動画像の再生、及びアプリケーションプログラムの実行等である。
【０２２５】
また、上記実施の形態１〜３の説明において、本発明を携帯電話等の移動体端末装置に適用した例を説明したが、本発明は、パーソナルコンピュータ等の据置型端末装置に適用してもよい。
【０２２６】
また、上記実施の形態１〜３の説明において、移動体端末装置４は、コンテンツ２１１及び権利２１２を、インターネット等の移動体通信網２を経由して取得するとしたが、コンテンツ２１１及び権利２１２のうちいずれか１以上を、移動体端末装置４に着脱可能な記録媒体等を介して取得してもよい。同様に、実施の形態２の説明において、移動体端末装置４は、優先順位情報２１３及び優先順位情報管理情報２１４のうちいずれか１以上を、移動体端末装置４に着脱可能な記録媒体等を介して取得してもよい。
【０２２７】
また、上記実施の形態１〜３の説明において、優先順位情報管理情報２１４の例として、図６Ａ、図６Ｂ及び図６Ｃに示す例を示したが、優先順位情報管理情報２１４の条件として、再生目的、コンテンツ種別及び再生時間のいずれか１つ、又はいずれか２以上の組み合わせを用いてもよい。
【０２２８】
また、図２に示す、記憶制御部２０２、権利管理部２０３、権利選択部２０４、コンテンツ再生部２０５、再生情報取得部２０６、現在時刻計測部２０７、データ解析部２０９、及び優先順位情報選択部２１０の各機能ブロックは、典型的には集積回路であるＬＳＩ１１００として実現される。これらは、個別に１チップ化されても良いし、一部又は全てを含むように１チップ化されても良い。
【０２２９】
図１５に実施の形態１に係る移動体端末装置４が備える集積回路の一例を示す。ＬＳＩ１１００は、移動体端末装置４が備える集積回路の一例を示す。つまり、ＬＳＩ１１００は、集積回路化する機能ブロックの範囲の例である。ここでは、ＬＳＩとしたが、集積度の違いにより、ＩＣ、システムＬＳＩ、スーパーＬＳＩ、ウルトラＬＳＩと呼称されることもある。
【０２３０】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用しても良い。
【０２３１】
さらには、半導体技術の進歩又は派生する別技術によりＬＳＩに置き換わる集積回路化の技術が登場すれば、当然その技術を用いて機能ブロックの集積化を行ってもよい。バイオ技術の適応等が可能性としてありえる。
【０２３２】
また、移動体端末装置４を構成する各機能ブロックの機能は、ＣＰＵ及びメモリを備える端末装置がプログラムを実行することにより実現してもよい。また、本発明は、当該プログラムを記録した記録媒体として実現してもよい。
【産業上の利用可能性】
【０２３３】
本発明は、端末装置、権利優先順位判定方法、プログラム及び集積回路に適用でき、特に、携帯電話等の移動体端末装置に適用できる。
【図面の簡単な説明】
【０２３４】
【図１】図１は、本発明の実施の形態１に係る移動体端末装置を用いたコンテンツ配信サービスの概略構成を示す図である。
【図２】図２は、本発明の実施の形態１に係る移動体端末装置の構成を示す図である。
【図３】図３は、本発明の実施の形態１に係る権利情報のデータ構造を示す図である。
【図４Ａ】図４Ａは、本発明の実施の形態１に係る権利の構成例を示す図である。
【図４Ｂ】図４Ｂは、本発明の実施の形態１に係る権利の構成例を示す図である。
【図５Ａ】図５Ａは、本発明の実施の形態１に係る移動体端末装置における、権利の優先度を概念的に示す図である。
【図５Ｂ】図５Ｂは、本発明の実施の形態１に係る第１優先順位情報の構成例を示す図である。
【図５Ｃ】図５Ｃは、本発明の実施の形態１に係る第２優先順位情報の構成例を示す図である。
【図６Ａ】図６Ａは、本発明の実施の形態１に係る優先順位情報管理情報の構成を示す図である。
【図６Ｂ】図６Ｂは、本発明の実施の形態１に係る優先順位情報管理情報の変形例の構成を示す図である。
【図６Ｃ】図６Ｃは、本発明の実施の形態１に係る優先順位情報管理情報の変形例の構成を示す図である。
【図７】図７は、本発明の実施の形態１に係る移動体端末装置によるコンテンツ再生動作の流れを示すフローチャートである。
【図８】図８は、本発明の実施の形態１に係る移動体端末装置によるコンテンツ再生動作の変形例の流れを示すフローチャートである。
【図９】図９は、本発明の実施の形態２に係る移動体端末装置を用いたコンテンツ配信サービスの概略構成を示す図である。
【図１０】図１０は、本発明の実施の形態２に係る移動体端末装置の構成を示す図である。
【図１１】図１１は、本発明の実施の形態２に係る移動体端末装置による優先順位情報生成動作の流れを示すフローチャートである。
【図１２】図１２は、本発明の実施の形態３に係る移動体端末装置の構成を示す図である。
【図１３】図１３は、本発明の実施の形態３に係る移動体端末装置におけるユーザ操作画面の一例を示す図である。
【図１４】図１４は、本発明の実施の形態３に係る移動体端末装置による優先順位情報管理情報の変更動作の流れを示すフローチャートである。
【図１５】図１５は、本発明に係る集積回路の構成を示す図である。
【符号の説明】
【０２３５】
１  コンテンツ配信会社
２  移動体通信網
３  基地局
４  移動体端末装置
２０１  記憶部
２０２  記憶制御部
２０３  権利管理部
２０４  権利選択部
２０５  コンテンツ再生部
２０６  再生情報取得部
２０７  現在時刻計測部
２０８  送受信部
２０９  データ解析部
２１０  優先順位情報選択部
２１１  コンテンツ
２１２、２１２ａ、２１２ｂ  権利
２１３  優先順位情報
２１３ａ  第１優先順位情報
２１３ｂ  第２優先順位情報
２１４、２１４ａ、２１４ｂ  優先順位情報管理情報
２１５、２１７  優先順位情報管理情報生成部
２１６  ユーザ操作入力部
３００  権利情報
３０１  再生可能／不可能フラグ
３０２  有効期間
３０２ａ  開始時間
３０２ｂ  終了時間
３０３  再生回数
３０３ａ  再生回数
３０３ｂ  設定回数
３０４  再生時間
３０４ａ  再生時間
３０４ｂ  設定時間
３０５  時間指定再生回数
３０５ａ  指定時間
３０５ｂ  再生回数
３０５ｃ  設定回数
４０１  残有効期間
４０２  残再生回数
４０３  残再生時間
１１００  ＬＳＩ
【手続補正２】
【補正対象書類名】特許請求の範囲
【補正対象項目名】全文
【補正方法】変更
【補正の内容】
【特許請求の範囲】
【請求項１】
コンテンツの処理を許可する複数の権利に基づき、当該コンテンツを処理する端末装置であって、
前記複数の権利に対する優先順位を決定するための複数の優先順位情報のうち、処理するコンテンツの処理条件に対応する優先順位情報を選択する優先順位情報選択部と、
前記選択された優先順位情報を用いて前記複数の権利の優先順位を決定し、決定した優先順位に従い前記複数の権利のうち優先順位の最も高い権利を選択する権利選択部と、
前記選択された権利に基づき当該コンテンツを処理するコンテンツ処理部と、
前記複数の優先順位情報と、コンテンツの処理条件との対応関係を示す優先順位情報管理情報を生成する優先順位情報管理情報生成部とを備え、
前記複数の権利は、コンテンツの処理時間である第１処理時間を指定する第１権利と、コンテンツの処理回数である第１処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記優先順位情報管理情報生成部は、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成し、
前記優先順位情報選択部は、前記優先順位情報管理情報に従い、前記複数の優先順位情報のうち、処理するコンテンツの処理条件に対応する優先順位情報を選択する
ことを特徴とする端末装置。
【請求項２】
前記優先順位情報選択部は、前記コンテンツ処理部によるコンテンツの再生前に、前記第２優先順位情報を選択し、
前記権利選択部は、前記第２優先順位情報を用いて前記第２権利を選択し、
前記コンテンツ処理部は、前記選択された第２権利に基づき当該コンテンツを処理し、
前記端末装置は、さらに、
前記コンテンツ処理部によるコンテンツ再生状況に応じて、前記第２権利を更新する権利更新部を備え、
前記優先順位情報選択部は、前記コンテンツ処理部によるコンテンツの再生時間が設定時間より短い場合、前記コンテンツの再生後に前記第１優先順位情報を再選択し、
前記権利選択部は、前記第１優先順位情報を用いて前記第１権利を再選択し、
前記権利更新部は、前記コンテンツ処理部によるコンテンツ再生状況に応じて、前記第１権利を更新するとともに、前記第２権利を更新前の状態に戻す
ことを特徴とする請求項１に記載の端末装置。
【請求項３】
前記権利選択部は、前記優先順位情報選択部により前記第１優先順位情報が選択された場合、当該第１優先順位情報を用いて前記第１権利が前記第２権利より優先順位が高いと決定し、前記優先順位情報選択部により前記第２優先順位情報が選択された場合、当該第２優先順位情報を用いて前記第２権利が前記第１権利より優先順位が高いと決定する
ことを特徴とする請求項１に記載の端末装置。
【請求項４】
前記優先順位情報選択部は、処理するコンテンツの処理時間が第１処理時間の場合、前記第１優先順位情報を選択し、処理するコンテンツの処理時間が前記第１処理時間より長い第２処理時間の場合、前記第２優先順位情報を選択する
ことを特徴とする請求項３に記載の端末装置。
【請求項５】
前記コンテンツの処理条件は、コンテンツの処理目的であり、
前記優先順位情報選択部は、処理するコンテンツの処理目的が着信通知データの場合、前記第１優先順位情報を選択し、処理するコンテンツの処理目的がユーザの操作による再生の場合、前記第２優先順位情報を選択する
ことを特徴とする請求項３に記載の端末装置。
【請求項６】
前記コンテンツの処理条件は、コンテンツの種別であり、
前記優先順位情報選択部は、処理するコンテンツの種別が静止画像の場合、前記第１優先順位情報を選択し、処理するコンテンツの種別が動画像又は音声の場合、前記第２優先順位情報を選択する
ことを特徴とする請求項３に記載の端末装置。
【請求項７】
コンテンツの処理を許可する複数の権利に基づき、当該コンテンツを処理する端末装置における権利優先順位判定方法であって、
前記複数の権利に対する優先順位を決定するための複数の優先順位情報のうち、処理するコンテンツの処理条件に対応する優先順位情報を選択する優先順位情報選択ステップと、
前記選択された優先順位情報を用いて前記複数の権利の優先順位を決定し、決定した優先順位に従い前記複数の権利のうち優先順位の最も高い権利を選択する権利選択ステップと、
前記選択された権利に基づき当該コンテンツを処理するコンテンツ処理ステップと、
前記複数の優先順位情報と、コンテンツの処理条件との対応関係を示す優先順位情報管理情報を生成する優先順位情報管理情報生成ステップとを含み、
前記複数の権利は、コンテンツの処理時間である第１処理時間を指定する第１権利と、コンテンツの処理回数である第１処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記優先順位情報管理情報生成ステップでは、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成し、
前記優先順位情報選択ステップでは、前記優先順位情報管理情報に従い、前記複数の優先順位情報のうち、処理するコンテンツの処理条件に対応する優先順位情報を選択する
ことを特徴とする権利優先順位判定方法。
【請求項８】
権利優先順位判定プログラムであって、
コンテンツの処理を許可する複数の権利に基づき、当該コンテンツを処理する権利優先順位判定方法のプログラムであって、
前記複数の権利に対する優先順位を決定するための複数の優先順位情報のうち、処理するコンテンツの処理条件に対応する優先順位情報を選択する優先順位情報選択ステップと、
前記選択された優先順位情報を用いて前記複数の権利の優先順位を決定し、決定した優先順位に従い前記複数の権利のうち優先順位の最も高い権利を選択する権利選択ステップと、
前記選択された権利に基づき当該コンテンツを処理するコンテンツ処理ステップと、
前記複数の優先順位情報と、コンテンツの処理条件との対応関係を示す優先順位情報管理情報を生成する優先順位情報管理情報生成ステップとをコンピュータに実行させ、
前記複数の権利は、コンテンツの処理時間である第１処理時間を指定する第１権利と、コンテンツの処理回数である第１処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記優先順位情報管理情報生成ステップでは、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成し、
前記優先順位情報選択ステップでは、前記優先順位情報管理情報に従い、前記複数の優先順位情報のうち、処理するコンテンツの処理条件に対応する優先順位情報を選択する    ことを特徴とするプログラム。
【請求項９】
コンテンツの処理を許可する複数の権利に基づき、当該コンテンツを処理する集積回路であって、
前記複数の権利に対する優先順位を決定するための複数の優先順位情報のうち、処理するコンテンツの処理条件に対応する優先順位情報を選択する優先順位情報選択部と、
前記選択された優先順位情報を用いて前記複数の権利の優先順位を決定し、決定した優先順位に従い前記複数の権利のうち優先順位の最も高い権利を選択する権利選択部と、
前記選択された権利に基づき当該コンテンツを処理するコンテンツ処理部と、
前記複数の優先順位情報と、コンテンツの処理条件との対応関係を示す優先順位情報管理情報を生成する優先順位情報管理情報生成部とを備え、
前記複数の権利は、コンテンツの処理時間である第１処理時間を指定する第１権利と、コンテンツの処理回数である第１処理回数を指定する第２権利とを含み、
前記複数の優先順位情報は、前記処理時間が前記処理回数より優先順位が高いことを示す第１優先順位情報と、前記処理回数が前記処理時間より優先順位が高いことを示す第２優先順位情報とを含み、
前記優先順位情報管理情報生成部は、前記第１処理時間を、前記コンテンツの処理条件に含まれる第１処理条件に対応する第２処理時間で除算することで第２処理回数を算出し、前記第１処理回数と前記第２処理回数とを比較し、前記第２処理回数が前記第１処理回数より多い場合、前記第１処理条件に前記第１優先順位情報を対応付けた前記優先順位情報管理情報を生成し、前記第２処理回数が前記第１処理回数より少ない場合、前記第１処理条件に前記第２優先順位情報を対応付けた前記優先順位情報管理情報を生成し、
前記優先順位情報選択部は、前記優先順位情報管理情報に従い、前記複数の優先順位情報のうち、処理するコンテンツの処理条件に対応する優先順位情報を選択する
ことを特徴とする集積回路。
【手続補正３】
【補正対象書類名】図面
【補正対象項目名】全図
【補正方法】変更
【補正の内容】
【図１】
2008132798.tif 000023
【図２】
2008132798.tif 000024
【図３】
2008132798.tif 000025
【図４Ａ】
2008132798.tif 000026
【図４Ｂ】
2008132798.tif 000027
【図５Ａ】
2008132798.tif 000028
【図５Ｂ】
2008132798.tif 000029
【図５Ｃ】
2008132798.tif 000030
【図６Ａ】
2008132798.tif 000031
【図６Ｂ】
2008132798.tif 000032
【図６Ｃ】
2008132798.tif 000033
【図７】
2008132798.tif 000034
【図８】
2008132798.tif 000035
【図９】
2008132798.tif 000036
【図１０】
2008132798.tif 000037
【図１１】
2008132798.tif 000038
【図１２】
2008132798.tif 000039
【図１３】
2008132798.tif 000040
【図１４】
2008132798.tif 000041
【図１５】
2008132798.tif 000042
【国際調査報告】
2008132798.tif 000043
2008132798.tif 000044
2008132798.tif 000045
2008132798.tif 000046